(57)【要約】      （修正有）【課題】倒れ難い仕切り板を備えた屋外用燃焼装置および屋外用燃焼装置用の仕切り板を提供する。【解決手段】屋外用燃焼装置Ｂ１は、第１懸架部材２００と、火床１００と、仕切り板３００とを備えている。火床１００は第１支持部Ｓ１および第２支持部Ｓ２を有している。第１懸架部材２００は第１支持部Ｓ１および第２支持部Ｓ２に支持され、火床１００に懸架されている。仕切り板３００は、第１懸架部材２００から垂下されており且つ火床１００内の空間を略水平方向において第１、第２空間に仕切っている。【選択図】図１Ａ
2019030453.tif 000002
【特許請求の範囲】
【請求項１】
第１支持部および第２支持部を有する火床と、
前記第１支持部および前記第２支持部に支持され、前記火床に懸架された第１懸架部材と、
前記第１懸架部材から垂下されており且つ前記火床内の空間を略水平方向において第１、第２空間に仕切る仕切り板とを備えている屋外用燃焼装置。
【請求項２】
請求項１記載の屋外用燃焼装置において、
第２懸架部材をさらに備えており、
前記火床は、第３支持部および第４支持部をさらに有しており、
前記第２懸架部材は、前記第１懸架部材に交差し、且つ前記第１懸架部材または前記仕切り板に当接するように、前記第３支持部および前記第４支持部に支持されており、
前記第１懸架部材および前記第２懸架部材は、調理容器または串を支持可能な五徳である屋外用燃焼装置。
【請求項３】
請求項１記載の屋外用燃焼装置において、
第２懸架部材をさらに備えており、
前記第１懸架部材および前記仕切り板の少なくとも一方は、上方向に開放された凹部を有しており、
前記火床は、第３支持部および第４支持部をさらに有しており、
前記第２懸架部材は、前記第１懸架部材に交差し且つ前記凹部に挿入されるように、前記第３支持部および前記第４支持部に支持されており、
前記第１懸架部材および前記第２懸架部材は、調理容器または串を支持可能な五徳である屋外用燃焼装置。
【請求項４】
火床と、
前記火床よりも上側に位置する第１支持部および第２支持部と、
前記第１支持部および前記第２支持部に支持されており、且つ前記第１支持部および前記第２支持部に懸架された第１懸架部材と、
前記第１懸架部材から垂下されており且つ前記火床内の空間を略水平方向において第１、第２空間に仕切る仕切り板とを備えている屋外用燃焼装置。
【請求項５】
請求項４記載の屋外用燃焼装置において、
前記火床よりも上側に位置する第３支持部および第４支持部と、
前記第１懸架部材に交差し、且つ前記第１懸架部材または前記仕切り板に当接するように、前記第３支持部および前記第４支持部に支持された第２懸架部材をさらに備えており、
前記第１懸架部材および前記第２懸架部材は、五徳である屋外用燃焼装置。
【請求項６】
請求項４記載の屋外用燃焼装置において、
前記火床よりも上側に位置する第３支持部および第４支持部と、
第２懸架部材をさらに備えており、
前記第１懸架部材および前記仕切り板の少なくとも一方は、上方向に開放された凹部を有しており、
前記第２懸架部材は、前記第１懸架部材に交差し且つ前記凹部に挿入されるように、前記第３支持部および前記第４支持部に支持されており、
前記第１懸架部材および前記第２懸架部材は、五徳である屋外用燃焼装置。
【請求項７】
請求項１〜６の何れかに記載の屋外用燃焼装置において、
前記火床は、環状に配置された３以上の側板を有しており、前記側板は一対の側辺を有しており、前記側板のうちの隣り合う側板の側辺同士が回動自在に連結されており、前記側板の一つの側板が前記第１支持部を有し、別の一つの側板が前記第２支持部を有しており、
前記仕切り板は、前記一つの側板および前記別の一つの側板間に介在している屋外用燃焼装置。
【請求項８】
請求項１〜７の何れかに記載の屋外用燃焼装置において、
前記第１懸架部材は、棒状または板状であり、
前記仕切り板は、前記第１懸架部材に対して着脱可能である屋外用燃焼装置。
【請求項９】
請求項１〜８の何れかに記載の屋外用燃焼装置において、
前記火床内に支持されており且つ固形燃料を載置可能な燃料載置部をさらに備えており、
前記燃料載置部は孔を有しており、
前記仕切り板は、前記第１懸架部材から前記燃料載置部へ垂下された仕切り板本体と、
前記仕切り板本体に設けられており且つ前記孔に挿入された凸部を有している屋外用燃焼装置。
【請求項１０】
請求項１〜９の何れかに記載の屋外用燃焼装置において、
前記火床に支持されており且つ固形燃料を載置可能な燃料載置部をさらに備えており、
前記仕切り板は、前記第１懸架部材から前記燃料載置部まで延びており且つ前記燃料載置部に当接している屋外用燃焼装置。
【請求項１１】
請求項１〜１０の何れかに記載の屋外用燃焼装置において、
前記第１支持部および前記第２支持部が複数であり、
前記第１懸架部材が複数であって、五徳である屋外用燃焼装置。
【請求項１２】
請求項２、３、７または７記載の屋外用燃焼装置において、
前記第３支持部および前記第４支持部が複数であり、
前記第２懸架部材は複数である屋外用燃焼装置。
【請求項１３】
屋外用燃焼装置の第１、第２支持部に懸架された第１懸架部材から火床内に垂下されており且つ前記火床内の空間を略水平方向において第１、第２空間に仕切る仕切り板本体を有する屋外用燃焼装置用の仕切り板。
【請求項１４】
請求項１３記載の屋外用燃焼装置用の仕切り板において、
前記仕切り板本体には、上方向に開放された凹部が設けられており、
前記凹部には、前記屋外用燃焼装置の第３、第４支持部に前記第１懸架部材に交差するように懸架された第２懸架部材が挿入されるようになっている屋外用燃焼装置用の仕切り板。
【請求項１５】
請求項１３または１４記載の屋外用燃焼装置用の仕切り板において、
前記仕切り板本体に設けられた凸部をさらに有しており、
前記凸部が、前記火床内に支持され、固形燃料を載置可能な燃料載置部の孔に挿入されるようになっている屋外用燃焼装置用の仕切り板。
【請求項１６】
請求項１３〜１５の何れかに記載の屋外用燃焼装置用の仕切り板において、
前記仕切り板本体は、前記火床内に支持され、固形燃料を載置可能な燃料載置部に当接するようになっている屋外用燃焼装置用の仕切り板。
【発明の詳細な説明】
【技術分野】
【０００１】
本発明は、バーベキューグリルや焚火台などの屋外用燃焼装置および屋外用燃焼装置用の仕切り板に関する。
【背景技術】
【０００２】
下記特許文献１には、炭や薪などの固形燃料を収容可能な火床と、略Ｌ字状の仕切り板とを備えた従来のバーベキューグリルが記載されている。火床の底部には、複数の取り付け孔がマトリックス状に設けられている。仕切り板は、仕切り板本体と、この仕切り板本体の下端から当該仕切り板本体に対して直角に延びた折り曲げ板と、この折り曲げ板に設けられた一対の係合突部とを有している。係合突部が火床の底部の取り付け孔に嵌合することによって、仕切り板が火床内に取り付けられ、仕切り板本体が火床を二つの領域に区切っている。前記領域のうちの一つのみに固形燃料を入れて使用することによって、大型のバーベキューグリルであっても、少人数でバーベキューを行い易くしている。
【先行技術文献】
【特許文献】
【０００３】
【特許文献１】実用新案登録第３０９３１４５号公報（特に、段落０００８および図５参照）
【発明の概要】
【発明が解決しようとする課題】
【０００４】
係合突部が火床の底部の取り付け孔に嵌合することによって、仕切り板が火床内で起立する構成であることから、前述の嵌合が外れると、仕切り板が倒れる可能性がある。
【０００５】
本発明は、上記事情に鑑みて創案されたものであって、その目的とするところは、倒れ難い仕切り板を備えた屋外用燃焼装置および屋外用燃焼装置用の仕切り板を提供する。
【課題を解決するための手段】
【０００６】
上記課題を解決するために、本発明の第１態様の屋外用燃焼装置は、第１懸架部材と、火床と、仕切り板とを備えている。火床は第１支持部および第２支持部を有している。第１懸架部材は第１支持部および第２支持部に支持され、火床に懸架されている。仕切り板は、第１懸架部材から垂下されており且つ火床内の空間を略水平方向において第１、第２空間に仕切っている。
【０００７】
このような態様の屋外用燃焼装置による場合、第１懸架部材が第１支持部および第２支持部に支持され、火床に懸架されているので、仕切り板および第１懸架部材が倒れにくい。
【０００８】
第１態様の屋外用燃焼装置は、第２懸架部材をさらに備えた構成とすることが可能である。火床は、第３支持部および第４支持部をさらに有する構成とすることが可能である。
【０００９】
第３支持部および第４支持部は、第２懸架部材が第１懸架部材に交差し、且つ第１懸架部材または仕切り板に当接するように、第２懸架部材を支持する構成とすることが可能である。または、第１懸架部材および仕切り板の少なくとも一方は、上方向に開放された凹部を有する構成とすることが可能である。この場合、第３支持部および第４支持部は、第２懸架部材が第１懸架部材に交差し且つ凹部に挿入されるように第２懸架部材を支持する構成とすることが可能である。何れの場合も、第１懸架部材および第２懸架部材が調理容器または串を支持可能な五徳であるので、バーベキューグリルの部品点数の増加を抑制しつつ、多機能化を図ることができる。
【００１０】
本発明の第２態様の屋外用燃焼装置は、火床と、この火床よりも上側に位置する第１支持部および第２支持部と、第１懸架部材と、仕切り板とを備えている。第１懸架部材は、第１支持部および第２支持部に支持されており、且つ第１支持部および第２支持部に懸架されている。仕切り板は、第１懸架部材から垂下されており且つ火床内の空間を略水平方向において第１、第２空間に仕切っている。
【００１１】
このような態様の屋外用燃焼装置による場合、第１懸架部材が第１支持部および第２支持部に支持され、懸架されているので、仕切り板および第１懸架部材が倒れにくい。
【００１２】
第２態様の屋外用燃焼装置は、火床よりも上側に位置する第３支持部および第４支持部と、第２懸架部材をさらに備えた構成とすることが可能である。
【００１３】
第３支持部および第４支持部は、第２懸架部材が第１懸架部材に交差し、且つ第１懸架部材または仕切り板に当接するように、第２懸架部材を支持する構成とすることが可能である。または、第１懸架部材および仕切り板の少なくとも一方は、上方向に開放された凹部を有する構成とすることが可能である。第３支持部および第４支持部は、第２懸架部材が第１懸架部材に交差し且つ凹部に挿入されるように第２懸架部材を支持する構成とすることが可能である。何れの場合も、第１懸架部材および第２懸架部材が調理容器または串を支持可能な五徳であるので、バーベキューグリルの部品点数の増加を抑制しつつ、多機能化を図ることができる。
【００１４】
火床は、環状に配置された３以上の側板を有する構成とすることが可能である。側板は一対の側辺を有する構成とすることが可能である。側板のうちの隣り合う側板の側辺同士が回動自在に連結された構成とすることが可能である。側板の一つが第１支持部を有し、別の一つが第２支持部を有する構成とすることが可能である。仕切り板は、一つの側板および別の一つの側板間に介在している構成とすることが可能である。このような態様の屋外用燃焼装置による場合、仕切り板が二つの側板間に介在しているので、火床が折り畳まれるのを防ぐことができる。
【００１５】
第１懸架部材は、棒状または板状とすることも可能である。仕切り板は、第１懸架部材に対して着脱可能な構成とすることが可能である。このような態様の屋外用燃焼装置は、仕切り板が第１懸架部材から取り外すことができるので、その収納性が向上する。
【００１６】
上記何れかの態様の屋外用燃焼装置は、火床内に支持されており且つ固形燃料を載置可能な燃料載置部をさらに備えた構成とすることが可能である。燃料載置部は孔を有する構成とすることが可能である。仕切り板は、仕切り板本体と、凸部とを有する構成とすることが可能である。仕切り板本体は、第１懸架部材から燃料載置部へ垂下された構成とすることが可能である。凸部は、仕切り板本体に設けられており且つ孔に挿入された構成とすることが可能である。このような態様の屋外用燃焼装置による場合、凸部が孔に燃料載置部の挿入されることによって、仕切り板の第１懸架部材を軸とする揺動を防止することができる。
【００１７】
仕切り板は、第１懸架部材から燃料載置部まで延びており且つ燃料載置部に当接した構成とすることが可能である。このように仕切り板が燃料載置部に当接することによって、仕切り板が燃料載置部に支持される。
【００１８】
第１支持部および第２支持部は複数とすることも可能である。第１懸架部材は複数であって、調理容器または串を支持可能な五徳である構成とすることが可能である。このような態様の屋外用燃焼装置による場合、複数の第１懸架部材が五徳と仕切り板を支持する部材とを兼ねているので、部品点数の増加を抑制しつつ、多機能化を図ることができる。
【００１９】
第３支持部および第４支持部は複数とすることも可能である。第２懸架部材も複数である。複数の第２懸架部材が五徳であるので、調理容器または串を安定して支持可能となる。
【００２０】
屋外用燃焼装置用の一態様の仕切り板は、仕切り板本体を有している。仕切り板本体は、屋外用燃焼装置の第１、第２支持部に懸架された第１懸架部材から火床内に垂下されており且つ火床内の空間を略水平方向において第１、第２空間に仕切っている。このような態様の仕切り板による場合、仕切り板本体が第１、第２支持部に懸架された第１懸架部材から火床内に垂下されるので、仕切り板が倒れにくい。
【００２１】
仕切り板本体には、上方向に開放された凹部が設けられていても良い。この凹部には、屋外用燃焼装置の第３、第４支持部に第１懸架部材に交差するように懸架された第２懸架部材が挿入される構成とすることが可能である。このような態様の仕切り板による場合、凹部に第２懸架部材が挿入されるため、仕切り板および第２懸架部材の干渉を避けることができる。
【００２２】
屋外用燃焼装置用の仕切り板は、凸部をさらに有する構成とすることが可能である。この凸部は、仕切り板本体に設けられており、且つ火床内に支持された固形燃料を載置可能な燃料載置部の孔に挿入される構成とすることが可能である。このような態様の仕切り板による場合、凸部が孔に燃料載置部の挿入されることによって、仕切り板の第１懸架部材を軸とする揺動を防止することができる。
【００２３】
仕切り板本体は、火床内に支持され、固形燃料を載置可能な燃料載置部に当接する構成とすることが可能である。このような態様の仕切り板による場合、仕切り板本体が燃料載置部に支持される。
【図面の簡単な説明】
【００２４】
【図１Ａ】本発明の実施例１に係る屋外用燃焼装置の斜視図である。
【図１Ｂ】前記屋外用燃焼装置の正面図である。
【図１Ｃ】前記屋外用燃焼装置の図１中の１Ｃ−１Ｃ断面図である。
【図１Ｄ】前記屋外用燃焼装置の図１中の１Ｄ−１Ｄ断面図である。
【図１Ｅ】実施例１の屋外用燃焼装置の第１設計変形例の正面図である。
【図１Ｆ】実施例１の屋外用燃焼装置の第１設計変形例の図１Ｄに対応する断面図である。
【図２Ａ】実施例１の屋外用燃焼装置の第２設計変形例の斜視図である。
【図２Ｂ】実施例１の屋外用燃焼装置の第３設計変形例の正面図である。
【図２Ｃ】実施例１の屋外用燃焼装置の第３設計変形例の図１Ｄに対応する断面図である。
【図３Ａ】実施例１の屋外用燃焼装置の第４設計変形例の斜視図である。
【図３Ｂ】実施例１の屋外用燃焼装置の第５設計変形例の斜視図である。
【図４Ａ】本発明の実施例２に係る屋外用燃焼装置の斜視図である。
【図４Ｂ】実施例２の屋外用燃焼装置の第１設計変形例の斜視図である。
【図５Ａ】実施例２の屋外用燃焼装置の第２設計変形例の斜視図である。
【図５Ｂ】実施例２の屋外用燃焼装置の第３設計変形例の斜視図である。
【図６】本発明の実施例３に係る屋外用燃焼装置の斜視図である。
【図７】本発明の実施例４に係る屋外用燃焼装置の斜視図である。
【発明を実施するための形態】
【００２５】
以下、本発明の実施例１〜４について説明する。
【実施例１】
【００２６】
以下、本発明の実施例１を含む複数の実施例に係る屋外用燃焼装置Ｂ１ついて図１Ａ〜図３Ｂを参照しつつ説明する。屋外用燃焼装置Ｂ１は、バーベキューグリルおよび／または焚火台である。図１Ａ〜図１Ｄには、実施例１の屋外用燃焼装置Ｂ１が示されており、図１Ｅ〜図１Ｆには、実施例１の屋外用燃焼装置Ｂ１の第１設計変形例が示されており、図２Ａには、実施例１の屋外用燃焼装置Ｂ１の第２設計変形例が示されており、図２Ｂおよび図２Ｃには、実施例１の屋外用燃焼装置Ｂ１の第３設計変形例が示されており、図３Ａには、実施例１の屋外用燃焼装置Ｂ１の第４設計変形例が示されており、図３Ｂには、実施例１の屋外用燃焼装置Ｂ１の第５設計変形例が示されている。なお、図１Ａ、図２Ａおよび図３Ａ〜図３Ｂに示すＺ−Ｚ’方向は屋外用燃焼装置Ｂ１の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。
【００２７】
屋外用燃焼装置Ｂ１は火床１００を備えている。火床１００は、３以上の側板１１０を有している。側板１１０は、一対の側辺を有している。側板１１０は、環状に配置されている。火床１００は、下記１）〜４）の何れかの構成をさらに有している。
【００２８】
１）火床１００は、上下逆の中空の四角錘台状（図１Ａ〜図３Ｂ参照）であって、４つの上下逆の台形状の側板１１０、４つのヒンジ部１２１および２つのヒンジ部１２２を有している。または、火床１００は、四角筒状であって、４つの矩形状の側板１１０、４つのヒンジ部１２１および２つのヒンジ部１２２を有している。何れの場合も、側板１１０は、二つの側板１１０ａと、二つの側板１１０ｂとを含む。側板１１０ａ、１１０ｂは展開状態で四角環状に配置されており、側板１１０ａはＹ−Ｙ’方向において対向し、側板１１０ｂはＸ−Ｘ’方向で対向している。側板１１０ａのうちのＹ方向側の側板１１０ａは、二つの側板１１０ｂと隣り合っており、Ｙ方向側の側板１１０ａのＸ方向側、Ｘ’方向側の側辺と二つの側板１１０ｂの一対の側辺のうちのＹ方向側の側辺とがヒンジ部１２１によって各々回動自在に連結されている。Ｙ’方向側の側板１１０ａも、二つの側板１１０ｂと隣り合っており、Ｙ’方向側の側板１１０ａのＸ方向側、Ｘ’方向側の側辺と二つの側板１１０ｂのＹ’方向側の側辺とがヒンジ１２１部によって各々回動自在に連結されている。側板１１０ｂは、当該側板１１０ｂを二分し対称形状をなす第１板１１１ｂおよび第２板１１２ｂを各々有している。第１板１１１ｂは、側板１１０ｂの前記Ｙ方向側の側辺およびその反対側の対辺を有し、第２板１１２ｂは、側板１１０ｂの前記Ｙ’方向側の側辺およびその反対側の対辺を有している。側板１１０ｂの各々において、第１板１１１ｂの対辺と第２板１１２ｂの対辺とがヒンジ部１２２によって回動自在に連結されている。展開状態の火床１００の側板１１０ｂの第１板１１１ｂおよび第２板１１２ｂを火床１００の内側に各々谷折りさせ、且つ側板１１０ａの間で折り畳まれた第１板１１１ｂおよび第２板１１２ｂを挟持させることにより、火床１００が平板状に折り畳まれる。
【００２９】
２）火床１００は、上下逆の中空の多角錘台状であって、４以上の偶数の上下逆の台形状の側板１１０および４以上のヒンジ部１２１を有している。または、火床１００は、筒状であって、４以上の偶数の側板１１０および４以上のヒンジ部１２１を有している。何れの場合も、側板１１０は展開状態で環状に配置されており、側板１１０のうちの隣り合う側板１１０の側辺同士がヒンジ部１２１によって各々回動自在に連結されている。火床１００は、４つの偶数の側板１１０を備えている場合、展開状態の火床１００の側板１１０のうちの二組の隣り合う側板１１０を互いに面接触させることによって、火床１００が平板状に折り畳まれる。火床１００は、６以上の偶数の側板１１０を備えている場合、展開状態の火床１００の二組の隣り合う側板１１０を互いに面接触させると共に、二組の隣り合う側板１１０の間の側板１１０を二つずつ互いに面接触させることによって、火床１００が平板状に折り畳まれる。
【００３０】
３）火床１００は、４以上の偶数の三角形の側板１１０および４以上のヒンジ部１２１を有している。側板１１０は展開状態で環状（すなわち、上下逆の中空の多角錘状）に配置されており、側板１１０のうちの隣り合う側板１１０の側辺同士がヒンジ部１２１によって各々回動自在に連結されている。この場合の火床１００は、上記２）と同様に、展開状態から平板状に折り畳むことができる。
【００３１】
４）火床１００は、３以上の側板１１０を有している。側板１１０は組立状態で多角環状に配置されており、側板１１０のうちの隣り合う側板１１０の側辺同士が着脱自在に連結されている。例えば、隣り合う側板１１０の一方の側辺に少なくとも一つの係合突部が設けられており、他方の側板１１０の側辺に少なくとも一つの係合孔が設けられている。火床１００の側板１１０は、係合突部を係合孔に係合させることによって組み立てられ、係合突部を係合孔から抜くことによって分解される。
【００３２】
上記した側板１１０のうち、一つの側板１１０および別の一つの側板１１０は、互いに対向している。以下、説明の便宜上、この対向する二つの側板１１０を第１組の側板１１０と称する。一つの側板１１０（図１Ａ〜図３Ｂでは、一つの側板１１０ａ）が第１支持部Ｓ１を有し、別の一つの側板１１０（図１Ａ〜図３Ｂでは、もう一つの側板１１０ａ）が第２支持部Ｓ２を有している。第１支持部Ｓ１は、一つの側板１１０の上縁、一つの側板１１０の上縁に設けられており且つ上方向（Ｚ方向）に開口したスリット（図１Ａ、図１Ｂ、図１Ｅおよび図３Ａ参照）、一つの側板１１０に設けられた貫通孔（図２Ａ〜図２Ｂおよび図３Ｂ参照）、または一つの側板１１０の上縁から上方向（Ｚ方向）にのびた一対の突部などであり、第２支持部Ｓ２は、別の一つの側板１１０の上縁、別の一つの側板１１０の上縁に設けられており且つ上方向（Ｚ方向）に開口したスリット（図１Ａ、図１Ｃ、および図３Ａ参照）、別の一つの側板１１０に設けられた貫通孔（図２Ａおよび図３Ｂ参照）、または別の一つの側板１１０の上縁から上方向（Ｚ方向）にのびた一対の突部などである。第１支持部Ｓ１および第２支持部Ｓ２は、ほぼ同じ高さに位置していると良いが、若干相違していても良い。
【００３３】
屋外用燃焼装置Ｂ１は、燃料載置部５００をさらに備えている。燃料載置部５００は、図１Ａ、図１Ｃ、図１Ｄ、図１Ｆ、図２Ａ、図２Ｃ、図３Ａ、図３Ｂに示されるロストル（火格子）または耐熱板であって、火床１００内の下部に配置されており且つ炭や薪などの固形燃料が載置可能である。燃料載置部５００は複数の孔５１０を有している。燃料載置部５００がロストルである場合、ロストルの格子間の隙間が孔５１０となる。燃料載置部５００が耐熱板である場合、耐熱板を貫通する複数の孔５１０が設けられている。燃料載置部５００は、火床１００の側板１１０の下部に当接し支持される構成、または、火床１００の側板１１０の下部に設けられた係合部に係合され支持される構成とすることが可能である。
【００３４】
屋外用燃焼装置Ｂ１は、少なくとも一つの第１懸架部材２００および仕切り板３００をさらに備えている。第１懸架部材２００は、第１支持部Ｓ１および第２支持部Ｓ２間の距離よりも大きい長さ寸法を有する直線状の金属棒（図１Ａ〜図３Ｂ参照）や金属板などである。第１懸架部材２００の両端部のうちの少なくとも一方がＺ−Ｚ’方向に折り曲げられていても良い。第１懸架部材２００は、第１支持部Ｓ１および第２支持部Ｓ２によって略水平に着脱自在に支持され、第１組の側板１１０に懸架されている。より具体的には、第１懸架部材２００は、下記１）〜４）の何れかのとおりに第１組の側板１１０に懸架されている。
１）第１支持部Ｓ１および第２支持部Ｓ２が第１組の側板１１０の上縁である場合、第１懸架部材２００の第１、第２部が上縁上に各々載置されている。この場合、第１懸架部材２００が上方に持ち上げられることによって、第１懸架部材２００の第１、第２部の上縁に対する載置が解除される。
２）第１支持部Ｓ１および第２支持部Ｓ２が第１組の側板１１０のスリットである場合（図１Ａ〜図１Ｃ、図１Ｅおよび図３Ａ参照）、第１懸架部材２００の第１、第２部がスリット内に上方から各々挿入支持されている。この場合、第１懸架部材２００が上方に持ち上げられることによって、第１懸架部材２００の第１、第２部がスリットから各々脱する。
３）第１支持部Ｓ１および第２支持部Ｓ２が第１組の側板１１０の貫通孔である場合（図２Ａ〜図２Ｂおよび図３Ｂ参照）、第１懸架部材２００が貫通孔内に略水平方向から各々挿入され、第１懸架部材２００の第１、第２部が貫通孔に各々支持されている。この場合、第１懸架部材２００が挿入時と逆方向に引っ張られることによって、第１懸架部材２００が貫通孔から各々脱する。なお、第１懸架部材２００が上記のとおり折り曲げられている場合や第１懸架部材２００が後記するように凹部２１０を有している場合、貫通孔は、第１懸架部材２００のＺ−Ｚ’方向の寸法よりも大きい長孔（例えば、角長孔や丸長孔（図２Ｂ参照））とすると良い。
４）第１支持部Ｓ１および第２支持部Ｓ２が第１組の側板１１０の一対の突部である場合、第１懸架部材２００の第１、第２部が突部間に上方から各々挿入支持されている。この場合、第１懸架部材２００が上方に持ち上げられることによって、第１懸架部材２００の第１、第２部が突部間から各々脱する。
【００３５】
仕切り板３００は、第１懸架部材２００に対して着脱自在に取り付けられており且つ第１懸架部材２００から離れるように延びた耐熱板である。仕切り板３００は、図１Ａ〜図３Ｂに示すようにフラットであっても良いし、湾曲または折り曲げられていても良い。仕切り板３００は、第１懸架部材２００が第１支持部Ｓ１および第２支持部Ｓ２に支持された状態で、火床１００内に第１懸架部材２００から燃料載置部５００へ垂下されるように配置され且つ火床１００内を略水平方向（図１Ａ〜図３Ｂでは、Ｘ−Ｘ’方向）において第１、第２空間に仕切っている。この仕切り板３００は、第１懸架部材２００から真下（Ｚ’方向）に延びていても良いし、第１懸架部材２００から斜め下方向（Ｚ’方向およびＸ方向の成分を含む方向、またはＺ’方向およびＸ’方向の成分を含む方向）に延びていても良い。第１、第２空間内に固形燃料を入れる量を相違させたり、第１、第２空間内の一方にのみ固形燃料を入れたりすることができる。仕切り板３００が第１空間または第２空間側に傾斜している場合、第１空間または第２空間内に固形燃料をいれることによって、仕切り板３００が固形燃料の放射熱の一部を斜め上方向に反射させることが可能である。
【００３６】
仕切り板３００は、例えば、下記Ａ）またはＢ）の取り付け構造を有していても良い。
Ａ）仕切り板３００は、図１Ａ〜図３Ｂに示されるように、仕切り板本体３１０と、その上端に設けられたフック３２０とを有する構成とすることが可能である。フック３２０が第１懸架部材２００に引っ掛けられ、仕切り板３００が第１懸架部材２００に取り付けられている。
Ｂ）仕切り板３００および第１懸架部材２００の何れか一方に、少なくとも一つの係合突部が設けられており、他方に少なくとも一つの係合穴が設けられた構成とすることが可能である。この場合、係合突部が係合穴に係合されることによって、仕切り板３００が第１懸架部材２００に取り付けられている。
【００３７】
仕切り板３００は、燃料載置部５００に対してＺ−Ｚ’方向に間隙を有して配置された構成とすることが可能である。または、仕切り板３００は、燃料載置部５００に当接する構成とすることも可能である。仕切り板３００は、少なくとも一つの凸部３４０（図１Ａ、図１Ｃ、図１Ｄ、図１Ｆ、図２Ａおよび図２Ｃ参照）をさらに有する構成とすることが可能である。少なくとも一つの凸部３４０は、仕切り板３００から下方に延びており且つ燃料載置部５００の孔５１０の何れかに挿入されている。例えば、少なくとも一つの凸部３４０は、燃料載置部５００の第１懸架部材の真下の孔５１０に挿入されていても良い。または、少なくとも一つの凸部３４０は、仕切り板３００が第１懸架部材２００から斜め下方向に傾斜するように、前記真下の孔５１０から水平方向に離れた孔５１０内に挿入されていても良い。なお、凸部３４０は省略可能である。仕切り板３００の長さ寸法は、第１組の側板１１０間に介在し、両側板１１０に当接する寸法または若干の隙間を有して配置される寸法とすることが可能である。または、仕切り板３００の長さ寸法は、第１組の側板１１０の少なくとも一方に当接しない寸法とすることも可能である。
【００３８】
第１懸架部材２００は二以上とすることが可能である。なお、図１Ａ〜図２Ｃでは、第１懸架部材２００は二つであり、図３Ａおよび図３Ｂでは、第１懸架部材２００は四つであるが、これらはあくまで例示であり、これに限定されるものではない。二以上の第１懸架部材２００のうちの隣り合う二つの第１懸架部材２００は、連結部材によって連結されていても良いが、これに限定されるものではない。第１支持部Ｓ１および第２支持部Ｓ２は、第１懸架部材２００の数に応じた数またはそれ以上とすると良い。複数の第１支持部Ｓ１は、第１組の側板１１０のうちの一つの側板１１０（図１Ａ、図１Ｂ、図２Ａ、図２Ｂおよび図３Ａ〜図３Ｂでは、一つの側板１１０ａ）にその長手方向に間隔をあけて設けられており、複数の第２支持部Ｓ２は、第１組の側板１１０のうちの別の一つの側板１１０（図１Ａ、図１Ｃ、図２Ａおよび図３Ａ〜図３Ｂでは、もう一つの側板１１０ａ）にその長手方向に間隔をあけて設けられている。
【００３９】
なお、図１Ａ〜図１Ｄに示される実施例１の屋外用燃焼装置Ｂ１と図１Ｅおよび図Ｆに示される第１設計変更例の屋外用燃焼装置Ｂ１は、第１支持部Ｓ１および第２支持部Ｓ２の数が相違する以外、同じ構成である。図１Ｅおよび図Ｆに示される第１設計変更例の屋外用燃焼装置Ｂ１では、第１支持部Ｓ１および第２支持部Ｓ２の数が同じであって、第２支持部Ｓ２は第１支持部Ｓ１に対向する位置に設けられている。図２Ｂおよび図２Ｃに示される第３設計変更例の屋外用燃焼装置Ｂ１でも、第１支持部Ｓ１および第２支持部Ｓ２の数が同じであって、第２支持部Ｓ２は第１支持部Ｓ１に対向する位置に設けられている。
【００４０】
仕切り板３００は、第１懸架部材２００のうちの任意の一つに取り付けることが可能である。仕切り板３００も複数とすることが可能である。仕切り板３００が複数である場合、仕切り板３００によって区切られる火床１００内の空間は、仕切り板３００の数＋１（上記第１、第２空間を含む。）となる。
【００４１】
上記した側板１１０のうち、第１組の側板１１０以外の一つの側板１１０および別の一つの側板１１０は、互いに対向している。以下、説明の便宜上、この対向する二つの側板１１０を第２組の側板１１０と称する。第２組の側板１１０の一つの側板１１０（図１Ａ〜図３Ｂでは、一つの側板１１０ｂ）は第３支持部Ｓ３を有し、別の一つの側板１１０（図１Ａ〜図３Ｂでは、もう一つの側板１１０ｂ）が第４支持部Ｓ４を有している。第３支持部Ｓ３は、一つの側板１１０の上縁、一つの側板１１０の上縁に設けられており且つ上方向（Ｚ方向）に開口したスリット（図１Ａおよび図３Ａ参照）、一つの側板１１０に設けられた貫通孔（図２Ａおよび図３Ｂ参照）、または一つの側板１１０の上縁から上方向（Ｚ方向）にのびた一対の突部などであり、第４支持部Ｓ４は、別の一つ側板１１０の上縁、別の一つ側板１１０の上縁に設けられており且つ上方向（Ｚ方向）に開口したスリット（図１Ａ、図１Ｄおよび図３Ａ参照）、別の一つ側板１１０に設けられた貫通孔（図２Ａ、図２Ｃおよび図３Ｂ参照）、または別の一つ側板１１０の上縁から上方向（Ｚ方向）にのびた一対の突部などである。第３支持部Ｓ３および第４支持部Ｓ４は、ほぼ同じ高さに位置していると良いが、若干相違していても良い。
【００４２】
屋外用燃焼装置Ｂ１は、少なくとも一つの第２懸架部材４００をさらに備えた構成とすることが可能である。第２懸架部材４００は、第３支持部Ｓ３および第４支持部Ｓ４間の距離よりも大きい長さ寸法を有する直線状の金属棒（図１Ａ〜図３Ｂ参照）や金属板などである。第２懸架部材４００の両端部のうちの少なくとも一方がＺ−Ｚ’方向に折り曲げられていても良い。第２懸架部材４００は、第３支持部Ｓ３および第４支持部Ｓ４によって略水平に着脱自在に支持され、第２組の側板１１０に懸架されている。より具体的には、第２懸架部材４００は、下記１）〜４）の何れかのとおりに第２組の側板１１０に懸架されている。
１）第３支持部Ｓ３および第４支持部Ｓ４が第２組の側板１１０の上縁である場合、第２懸架部材４００の第１、第２部が上縁上に各々載置されている。この場合、第２懸架部材４００が上方に持ち上げられることによって、第２懸架部材４００の第１、第２部の上縁に対する載置が解除される。
２）第３支持部Ｓ３および第４支持部Ｓ４が第２組の側板１１０のスリットである場合（図１Ａ、図１Ｄ、図１Ｆおよび図３Ａ参照）、第２懸架部材４００の第１、第２部がスリット内に上方から各々挿入支持されている。この場合、第２懸架部材４００が上方に持ち上げられることによって、第２懸架部材４００の第１、第２部がスリットから各々脱する。
３）第３支持部Ｓ３および第４支持部Ｓ４が第２組の側板１１０の貫通孔である場合（図２Ａ、図２Ｃおよび図３Ｂ参照）、第２懸架部材４００が貫通孔内に略水平方向から各々挿入され、第２懸架部材４００の第１、第２部が貫通孔に各々支持されている。この場合、第２懸架部材４００が挿入時と逆方向に引っ張られることによって、第２懸架部材４００が貫通孔から各々脱する。なお、第２懸架部材４００が上記のとおり折り曲げられている場合、貫通孔は、第２懸架部材４００のＺ−Ｚ’方向の寸法よりも大きい長孔（例えば、角長孔や丸長孔（図２Ｃ参照））とすると良い。
４）第３支持部Ｓ３および第４支持部Ｓ４が第２組の側板１１０の一対の突部である場合、第２懸架部材４００の第１、第２部が突部間に上方から各々挿入支持されている。この場合、第２懸架部材４００が上方に持ち上げられることによって、第２懸架部材４００の第１、第２部が突部間から各々脱する。
【００４３】
第２懸架部材４００が第３支持部Ｓ３および第４支持部Ｓ４に支持された状態で、第２懸架部材４００は、第１懸架部材２００に交差し且つ第１懸架部材２００および第２懸架部材４００の上端がＺ−Ｚ’方向におけるほぼ同じ高さ位置に位置する構成とすることが可能である（図１Ａ〜図１Ｆ、図２Ｂ〜図２Ｃおよび図３Ａ参照）。この場合、第１懸架部材２００の第２懸架部材４００と交差する部分には、上方向（Ｚ方向）に開口した凹部２１０が設けられた構成とすることが可能である。仕切り板３００の凹部２１０に対応する部分（すなわち、仕切り板３００の第２懸架部材４００に交差する部分）には、上方向（Ｚ方向）に開口しており且つ凹部２１０に連通する凹部３３０が設けられた構成とすることが可能である。この場合、次のような構成とすることが可能である。第２懸架部材４００は、凹部２１０および凹部３３０に挿入され、第１懸架部材２００および第２懸架部材４００の上端のＺ−Ｚ’方向における高さ位置がほぼ同じになるように第３支持部Ｓ３および第４支持部Ｓ４に支持されている。第１支持部Ｓ１、第２支持部Ｓ２、第３支持部Ｓ３および第４支持部Ｓ４はほぼ同じ高さ位置に位置していると良いが、これに限定されるものではない。第１支持部Ｓ１および第２支持部Ｓ２の高さ位置と、第３支持部Ｓ３および第４支持部Ｓ４の高さ位置とが相違していても良い。相違する場合、第２懸架部材４００が第１懸架部材２００の凹部２１０および仕切り板３００の凹部３３０に挿入されるように、第１懸架部材２００および第２懸架部材４００の少なくとも一方を略Ω字状とすると良い。なお、第２懸架部材４００は、凹部２１０および凹部３３０の少なくとも一方に挿入支持されていても良い。なお、仕切り板３００の長さ寸法が第１支持部Ｓ１および第２支持部Ｓ２が設けられた側板１１０の少なくとも一方に当接せず且つ第２懸架部材４００に交差しない寸法である場合、凹部３３０は省略される。
【００４４】
または、第２懸架部材４００が第３支持部Ｓ３および第４支持部Ｓ４に支持された状態で、第２懸架部材４００は、第１懸架部材２００に交差し、且つ第１懸架部材２００または仕切り板３００に上側から当接する構成とすることが可能である（図２Ａおよび図３Ｂ参照）。この場合、第３支持部Ｓ３および第４支持部Ｓ４は、第１支持部Ｓ１および第２支持部Ｓ２よりも第１懸架部材２００のＺ−Ｚ’方向の寸法分、上側（Ｚ方向側）に位置するため、第２懸架部材４００も第１懸架部材２００よりも上側（Ｚ方向側）に位置していると良いが、これに限定されるものではない。第２懸架部材４００が第１懸架部材２００または仕切り板３００に上側から当接するように、第１懸架部材２００および第２懸架部材４００の少なくとも一方を略Ω字状としても良い。なお、図２Ａおよび図３Ｂでは、仕切り板３００は、第２懸架部材４００が第１懸架部材２００に当接する部分が切り欠かれているが、切り欠かず、第２懸架部材４００が仕切り板３００に上側から当接するようにしても良い。
【００４５】
第２懸架部材４００は二以上とすることが可能である。なお、図１Ａ〜図３Ｂでは、第２懸架部材４００は二つであるが、これらはあくまで例示であり、これに限定されるものではない。二以上の第２懸架部材４００のうちの隣り合う二つの第２懸架部材４００は、連結部材によって連結されていても良いが、これに限定されるものではない。第３支持部Ｓ３および第４支持部Ｓ４は、第２懸架部材４００の数に応じた数またはそれ以上とすると良い。複数の第３支持部Ｓ３は、第２組の側板１１０のうちの一つの側板１１０（図１Ａ〜図３Ｂでは、一つの側板１１０ｂ）にその長手方向に間隔をあけて設けられており、複数の第４支持部Ｓ４は、第２組の側板１１０のうちの別の一つの側板１１０（図１Ａ〜図３Ｂでは、もう一つの側板１１０ｂ）にその長手方向に間隔をあけて設けられている。なお、図２Ｂおよび図２Ｃに示される屋外用燃焼装置Ｂ１では、第３支持部Ｓ３および第４支持部Ｓ４の数が同じであって、第３支持部Ｓ３は第４支持部Ｓ４に対向する位置に設けられている。なお、第２懸架部材４００、第３支持部Ｓ３および第４支持部Ｓ４は省略可能である。
【００４６】
なお、第１懸架部材２００が複数であり且つ第２懸架部材４００が省略される場合、第１懸架部材２００は、ケトル、鍋やフライパンなどの調理容器または串を支持可能な五徳とすることが可能である。この場合、第１懸架部材２００は、内容物を含む調理容器の荷重、または、串とこれに刺された食材の荷重に耐え得る剛性を有し、且つ第１懸架部材２００間の間隔は、調理容器の底部の直径または串の長さ寸法よりも小さくすると良い。または、少なくとも一つの第１懸架部材２００および第２懸架部材４００が上記のとおり交差する場合、少なくとも一つの第１懸架部材２００および第２懸架部材４００は、調理容器または串を支持可能な五徳とすることが可能である。この場合、少なくとも一つの第１懸架部材２００および第２懸架部材４００は、内容物を含む調理容器の荷重、または、串とこれに刺された食材の荷重に耐え得る剛性を有すると良い。なお、第１懸架部材２００のうちの隣り合う二つの第１懸架部材２００の中間部を連結する連結部材および／または第２懸架部材４００のうちの隣り合う二つの第２懸架部材４００の中間部を連結する連結部材が、火床１００上に位置する場合も、これを五徳とすることが可能である。
【００４７】
屋外用燃焼装置Ｂ１は脚部６００をさらに備えている。脚部６００は、火床１００を中空支持している。例えば、脚部６００は下記１）または２）構成とすることが可能である。
１）脚部６００は、中空の多角錘台状（図１Ａ〜図３Ｅでは、中空の四角錘台状）をなしており、上下逆の中空の多角錘台状の火床１００を入れ子状に支持する構成となっている。
２）脚部６００は、火床１００の側板１１０から下方に延びた３以上の脚を有する構成とすることが可能である。
【００４８】
屋外用燃焼装置Ｂ１は、灰受け７００または図示しない底板をさらに備えた構成とすることが可能である。灰受け７００は、一対のフックによって脚部６００に吊り下げ支持され、火床１００下に配置されている。灰受け７００が火床１００内から落下する固形燃料の灰などを受ける。底板は、火床１００内の燃料載置部５００よりも下側（Ｚ’方向側）に配置されており且つ火床１００内から落下する固形燃料の灰を受ける。
【００４９】
屋外用燃焼装置Ｂ１は、図示しない焼き網および／または鉄板をさらに備えた構成とすることが可能である。焼き網および／または鉄板は、１）少なくとも第１懸架部材２００および仕切り板３００よりもＺ方向側に位置するように火床１００に支持されていても良いし、２）火床１００に加えて、少なくとも一つの第１懸架部材２００に支持されていても良いし、３）火床１００に加えて、少なくとも一つの第１懸架部材２００および第２懸架部材４００に支持されていても良いし、４）複数の第１懸架部材２００に支持されていても良いし、５）少なくとも一つの第１懸架部材２００および第２懸架部材４００に支持されていても良い。上記のとおり、第１懸架部材２００および／または第２懸架部材４００が五徳として使用する場合、焼き網および／または鉄板は、前述の支持から取り外しても良い。
【００５０】
以下、屋外用燃焼装置Ｂ１の火床１００に少なくとも一つの第１懸架部材２００および仕切り板３００を取り付ける手順について詳しく説明する。まず、展開状態の火床１００を用意する。この火床１００は脚部６００に支持されており、火床１００内に燃料載置部５００が配置されている。脚部６００には灰受け７００が吊り下げ支持され、火床１００の下方に配置されている。なお、灰受け７００に代えて、火床１００内に底板が配置されていても良い。
【００５１】
その後、第１懸架部材２００および仕切り板３００を用意する。第１懸架部材２００を火床１００の第１組の側板１１０の第１支持部Ｓ１および第２支持部Ｓ２に支持させる。これにより、第１懸架部材２００が第１組の側板１１０に懸架される。第１懸架部材２００を第１組の側板１１０に懸架させる前後に、仕切り板３００を第１懸架部材２００に取り付ける。例えば、仕切り板３００のフック３２０を第１懸架部材２００に引っ掛ける。または、係合突部を少なくとも一つの係合穴に係合させることによって、仕切り板３００を第１懸架部材２００に取り付ける。第１懸架部材２００を第１組の側板１１０に懸架させるときまたは仕切り板３００を第１懸架部材２００に取り付けるときに、仕切り板３００を第１懸架部材２００から燃料載置部５００へ垂下するように火床１００内に配置させる。このとき、仕切り板３００は、燃料載置部５００に間隙を有して配置させても良いし、燃料載置部５００に当接させても良い。仕切り板３００が凸部３４０を有している場合、仕切り板３００を火床１００内に配置させるときに、凸部３４０を燃料載置部５００の孔５１０に挿入させる。このように仕切り板３００が火床１００内に配置されることによって、火床１００内の空間が第１、第２空間に仕切られる。
【００５２】
第１懸架部材２００が複数である場合、上記した通りに第１懸架部材２００を火床１００の第１組の側板１１０に各々懸架させる。屋外用燃焼装置Ｂ１が少なくとも一つの第２懸架部材４００を備えている場合、第２懸架部材４００を火床１００の第２組の側板１１０の第３支持部Ｓ３および第４支持部Ｓ４に支持させる。これにより、第２懸架部材４００が第２組の側板１１０に懸架される。第１懸架部材２００が凹部２１０を有し且つ仕切り板３００が凹部３３０を有する場合、第２懸架部材４００が第２組の側板１１０に懸架させるとき、第２懸架部材４００が凹部２１０および凹部３３０に挿入される。第１懸架部材２００が凹部２１０を有し且つ仕切り板３００が凹部３３０を有しない場合、第２懸架部材４００が第２組の側板１１０に懸架させるとき、第２懸架部材４００が凹部２１０に挿入される。第１懸架部材２００が凹部２１０を有さず且つ仕切り板３００が凹部３３０を有しない場合、第２懸架部材４００は第１懸架部材２００に上方から当接する。
【００５３】
以上のような屋外用燃焼装置Ｂ１は、以下の技術的特徴および効果を奏する。
１）屋外用燃焼装置Ｂ１は、仕切り板３００が倒れにくい。なぜなら、第１懸架部材２００が火床１００の第１組の第１支持部Ｓ１および第２支持部Ｓ２に支持され、第１組の側板１１０間に懸架されており、この第１懸架部材２００に仕切り板３００が取り付けられているからである。
【００５４】
２）屋外用燃焼装置Ｂ１が複数の第１懸架部材２００を備え、且つ複数の第１懸架部材２００が五徳である場合、第１懸架部材２００によって調理容器または串を支持することができる。または、屋外用燃焼装置Ｂ１が交差する第１懸架部材２００および第２懸架部材４００を少なくとも一つずつ備え、且つこの第１懸架部材２００および第２懸架部材４００が五徳である場合、少なくとも一つの第１懸架部材２００および第２懸架部材４００によって調理容器または串を支持することができる。何れの場合も、第１懸架部材２００は、仕切り板３００を支持する部材と五徳とを兼ねているので、屋外用燃焼装置Ｂ１の部品点数の増加を抑制しつつ、多機能化を図ることができる。仕切り板３００を第１懸架部材２００から取り外して、第１懸架部材２００を単なる五徳とすることが可能であるので、屋外用燃焼装置Ｂ１は多様な態様で使用が可能である。なお、第１懸架部材２００および第２懸架部材４００が二つ以上ずつある場合、調理容器を安定的に支持できる。
【００５５】
３）第１懸架部材２００が凹部２１０を有し且つ仕切り板３００が凹部３３０を有する場合、第２懸架部材４００が凹部２１０および凹部３３０に挿入支持され、第１懸架部材２００および第２懸架部材４００の上端の高さ位置がほぼ同じになるので、第１懸架部材２００および第２懸架部材４００がより調理容器を安定的に支持できる。または第１懸架部材２００が凹部２１０を有し且つ仕切り板３００が凹部３３０を有しない場合も、第２懸架部材４００が凹部２１０に挿入支持され、第１懸架部材２００および第２懸架部材４００の上端の高さ位置がほぼ同じになるので、第１懸架部材２００および第２懸架部材４００が調理容器をより安定的に支持できる。
【００５６】
４）仕切り板３００が燃料載置部５００に当接する場合、第１懸架部材２００に仕切り板３００が取り付けられた状態で、第１懸架部材２００が調理容器または串を支持するにあたり、仕切り板３００が調理容器または串と燃料載置部５００との間に介在し、調理容器などを支持する一役を担う。この場合、屋外用燃焼装置Ｂ１は調理容器などをより安定的に支持できる。
【００５７】
５）仕切り板３００のフック３２０が第１懸架部材２００に引っ掛けられている場合（仕切り板３００が上記構成Ａ）の場合）、仕切り板３００が第１懸架部材２００を支点として揺動する可能性がある。または、仕切り板３００が第１懸架部材２００に取り付けられている場合（仕切り板３００が上記構成Ｂ）の場合）であっても、第１懸架部材２００が第１支持部Ｓ１および第２支持部Ｓ２を支点として回転すると共に、仕切り板３００が第１懸架部材２００の回転と共に揺動することがある。屋外用燃焼装置Ｂ１の仕切り板３００が凸部３４０を有している場合、凸部３４０が燃料載置部５００の孔５１０に挿入されているので、仕切り板３００の揺動が防止される。
【００５８】
６）仕切り板３００が側板１１０間に介在し、両者に当接する場合、火床１００が不用意に折り畳まれることを防ぐことができる。または、仕切り板３００が側板１１０間に介在し、両者に若干の隙間を有して配置される場合、仕切り板３００の両側の側板１１０が内側に変位すると、側板１１０が仕切り板３００の両端に各々当接するため、火床１００が不用意に折り畳まれることを防ぐことができる。
【実施例２】
【００５９】
以下、本発明の実施例２を含む複数の実施例に係る屋外用燃焼装置Ｂ２ついて図４Ａ〜図５Ｂを参照しつつ説明する。図４Ａには、実施例２の屋外用燃焼装置Ｂ２が示されており、図４Ｂには、実施例２の屋外用燃焼装置Ｂ２の第１設計変形例が示されており、図５Ａには、実施例２の屋外用燃焼装置Ｂ２の第２設計変形例が示されており、図５Ｂには、実施例２の屋外用燃焼装置Ｂ１の第３設計変形例が示されている。なお、図４Ａ〜図５Ｂに示すＺ−Ｚ’方向は屋外用燃焼装置Ｂ２の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。
【００６０】
屋外用燃焼装置Ｂ２は、下記相違点で屋外用燃焼装置Ｂ１と相違する以外、屋外用燃焼装置Ｂ１と同じ構成である。相違点１）第１懸架部材２００が側板１１０のうちの隣り合う側板１１０（以下、第１の隣り合う側板１１０とも称する。）に懸架されている。相違点２）第２懸架部材４００が第１懸架部材２００に交差するように側板１１０のうちの隣り合う側板１１０（以下、第２の隣り合う側板１１０とも称する。）に懸架されている。以下、屋外用燃焼装置Ｂ２については、これらの相違点についてのみ詳しく説明し、屋外用燃焼装置Ｂ１の説明と重複する説明については省略する。
【００６１】
第１の隣り合う側板１１０のうちの一方の側板１１０が第１支持部Ｓ１’を有し、他方の側板１１０が第２支持部Ｓ２’を有している。第１支持部Ｓ１’および第２支持部Ｓ２’は、以下の点を除き、屋外用燃焼装置Ｂ１の第１支持部Ｓ１および第２支持部Ｓ２と同じ構成である。第１支持部Ｓ１’は、一方の側板１１０の上縁、一方の側板１１０の上縁に設けられており且つ上方に開口したスリット、一方の側板１１０に設けられた貫通孔、または一方の側板１１０の上縁から上方向にのびた一対の突部などであり、第２支持部Ｓ２’は、他方の側板１１０の上縁、他方の側板１１０の上縁に設けられており且つ上方に開口したスリット、他方の側板１１０に設けられた貫通孔、または他方の側板１１０の上縁から上方向にのびた一対の突部などである。第１支持部Ｓ１’および第２支持部Ｓ２’に第１懸架部材２００が支持され、第１の隣り合う側板１１０に懸架されている。なお、上記のとおり、第１懸架部材２００が折り曲げられている場合や第１懸架部材２００が凹部２１０を有している場合、貫通孔は、第１懸架部材２００のＺ−Ｚ’方向の寸法よりも大きい長孔（例えば、角長孔や丸長孔（図２Ｂを借りて参照））とすると良い。
【００６２】
仕切り板３００は、第１支持部Ｓ１’および第２支持部Ｓ２’に支持された第１懸架部材２００に着脱自在に取り付けられており且つ第１懸架部材２００から垂下され、火床１００内を略水平方向において第１、第２空間に仕切っている以外、屋外用燃焼装置Ｂ１の何れかの態様の仕切り板３００と同様である。
【００６３】
第１支持部Ｓ１’および第２支持部Ｓ２’は第１懸架部材２００の数に応じた数またはそれ以上とすると良い。複数の第１支持部Ｓ１’は同じ側板１１０に設けられていても良いし（図５Ａおよび図５Ｂ参照）、異なる側板１１０に設けられていても良い（図４Ａおよび図４Ｂ参照）。複数の第２支持部Ｓ２’は同じ側板１１０に設けられていても良いし（図５Ａおよび図５Ｂ参照）、異なる側板１１０（図４Ａおよび図４Ｂ参照）に設けられていても良い。
【００６４】
図４Ａおよび図４Ｂでは、第１の隣り合う側板１１０が二組あり、第１支持部Ｓ１’および第２支持部Ｓ２’が二つずつある。二組のうちの第１組の隣り合う側板１１０の一方の側板１１０（Ｙ方向側の側板１１０ａ）に一つの第１支持部Ｓ１’が設けられており、第２組の隣り合う側板１１０の一方の側板１１０（Ｘ方向側の側板１１０ｂ）にもう一つの第１支持部Ｓ１’が設けられている。第１組の隣り合う側板１１０の他方の側板１１０（Ｘ’方向側の側板１１０ｂ）に一つの第２支持部Ｓ２’が設けられており、第２組の隣り合う側板１１０の他方の側板１１０（Ｙ’方向側の側板１１０ｂ）にもう一つの第２支持部Ｓ２’が設けられている。
【００６５】
図５Ａおよび図５Ｂでは、第１の隣り合う側板１１０が二組あり、第１支持部Ｓ１’および第２支持部Ｓ２’が四つずつある。二組のうちの第１組の隣り合う側板１１０の一方の側板１１０（Ｙ方向側の側板１１０ａ）に二つの第１支持部Ｓ１’が当該側板１１０の長手方向に間隔をあけて設けられており、第２組の隣り合う側板１１０の一方の側板１１０（Ｘ方向側の側板１１０ｂ）に残り二つの第１支持部Ｓ１’が当該側板１１０の長手方向に間隔をあけて設けられている。第１組の隣り合う側板１１０の他方の側板１１０（Ｘ’方向側の側板１１０ｂ）に二つの第２支持部Ｓ２’が当該側板１１０の長手方向に間隔をあけて設けられており、第２組の隣り合う側板１１０の他方の側板１１０（Ｙ’方向側の側板１１０ｂ）に残り二つの第２支持部Ｓ２’が当該側板１１０の長手方向に間隔をあけて設けられている。
【００６６】
第２の隣り合う側板１１０のうちの一方の側板１１０が第３支持部Ｓ３’を有し、他方の側板１１０が第４支持部Ｓ４’を有している。第３支持部Ｓ３’および第４支持部Ｓ４’は、以下の点を除き、屋外用燃焼装置Ｂ１の第３支持部Ｓ３および第４支持部Ｓ４と同じ構成である。第３支持部Ｓ３’は、一方の側板１１０の上縁、一方の側板１１０の上縁に設けられており且つ上方に開口したスリット、一方の側板１１０に設けられた貫通孔、または一方の側板１１０の上縁から上方向にのびた一対の突部などであり、第４支持部Ｓ４’は、他方の側板１１０の上縁、他方の側板１１０の上縁に設けられており且つ上方に開口したスリット、他方の側板１１０に設けられた貫通孔、または他方の側板１１０の上縁から上方向にのびた一対の突部などである。なお、第２懸架部材４００が上記のとおり折り曲げられている場合、貫通孔は、第２懸架部材４００のＺ−Ｚ’方向の寸法よりも大きい長孔（例えば、角長孔や丸長孔（図２Ｃを借りて参照））とすると良い。
【００６７】
第３支持部Ｓ３’および第４支持部Ｓ４’は第２懸架部材４００の数に応じた数またはそれ以上とすると良い。複数の第３支持部Ｓ３’は同じ側板１１０に設けられていても良いし、異なる側板１１０に設けられていても良く、複数の第４支持部Ｓ４’は同じ側板１１０に設けられていても良いし、異なる側板１１０に設けられていても良い（図４Ａおよび図５Ｂ参照）。
【００６８】
図４Ａ〜図５Ｂでは、第２の隣り合う側板１１０が二組あり、第３支持部Ｓ３’および第４支持部Ｓ４’が二つずつある。二組のうちの第１組の隣り合う側板１１０の一方の側板１１０（Ｘ方向側の側板１１０ａ）に一つの第３支持部Ｓ３’が設けられており、第２組の隣り合う側板１１０の一方の側板１１０（Ｙ’方向側の側板１１０ｂ）にもう一つの第３支持部Ｓ３’が設けられている。第１組の隣り合う側板１１０の他方の側板１１０（Ｙ方向側の側板１１０ｂ）に一つの第４支持部Ｓ４’が設けられており、第２組の隣り合う側板１１０の他方の側板１１０（Ｘ’方向側の側板１１０ｂ）にもう一つの第４支持部Ｓ４’が設けられている。なお、第２懸架部材４００、第３支持部Ｓ３’および第４支持部Ｓ４’は省略可能である。
【００６９】
以上のような屋外用燃焼装置Ｂ２は、屋外用燃焼装置Ｂ１と同様に、火床１００に少なくとも一つの第１懸架部材２００および仕切り板３００を取り付けることができ、且つ火床１００に少なくとも一つの第２懸架部材４００を取り付けることができる。屋外用燃焼装置Ｂ２は、屋外用燃焼装置Ｂ１と同様の技術的特徴および効果を奏する。
【実施例３】
【００７０】
以下、本発明の実施例３を含む複数の実施例に係る屋外用燃焼装置Ｂ３ついて図６を参照しつつ説明する。屋外用燃焼装置Ｂ３は、バーベキューグリルである。図６には、実施例３の屋外用燃焼装置Ｂ３が示されている。なお、図６に示すＺ−Ｚ’方向は屋外用燃焼装置Ｂ２の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。
【００７１】
屋外用燃焼装置Ｂ３は、下記相違点で屋外用燃焼装置Ｂ１と相違する以外、屋外用燃焼装置Ｂ１と同じ構成である。相違点１）脚部６００’の構成が脚部６００の構成と相違している。相違点２）屋外用燃焼装置Ｂ３は少なくとも一つの連結部８００をさらに備えている。相違点３）火床１００’が、脚部６００’および連結部８００の少なくとも一方に支持されている。相違点４）脚部６００’、連結部８００および火床１００’のうちの一つが、少なくとも一つの第１支持部Ｓ１’’および第２支持部Ｓ２’’を有し、脚部６００’、連結部８００および火床１００’のうちの一つが、少なくとも一つの第３支持部Ｓ３’’および第４支持部Ｓ４’’を有している。なお、脚部６００’、連結部８００および火床１００’のうちの一つが、少なくとも一つの第１支持部Ｓ１’’および第２支持部Ｓ２’’を有し、残りの一つが、少なくとも一つの第３支持部Ｓ３’’および第４支持部Ｓ４’’を有する構成とすることが可能である。以下、屋外用燃焼装置Ｂ３については、これらの相違点についてのみ詳しく説明し、屋外用燃焼装置Ｂ１の説明と重複する説明については省略する。
【００７２】
脚部６００’は、例えば、下記１）または２）の構成とすることが可能である。
１）脚部６００’は、互いに対向配置される一対の脚６１０’を有している。脚６１０’は、例えば、下向き略Ｕ字状（図６参照）、Ｈ字状またはＸ字状などの耐熱性を有するパイプ、棒または板などとすることができるが、これに限定されるものではない。脚部６００’は、一対の支持部材６２０’をさらに有する構成とすることが可能である。支持部材６２０’は、脚６１０’に各々取り付けられた取り付け部と、取り付け部から内側に延びた支持部本体とを有する構成とすることが可能である。
２）脚部６００’は、Ｚ−Ｚ’方向に延びた棒またはポールである３以上の脚６１０’を有している。この脚６１０’は環状に配置されている。
【００７３】
脚部６００’が上記１）の構成である場合、連結部８００は一つまたは複数とすることが可能である。前者の場合、連結部８００は、耐熱性を有する平面視略Ｏ字状のパイプや棒、筒または上側開放の箱であって、脚部６００’の脚６１０’間を連結している。後者の場合、連結部８００は、側面視略Ｏ字状、側面視略Ｕ字状、直線状またはその他の形状の耐熱性を有するパイプ、棒または板であって、そのうちの一または複数の連結部８００が脚部６００’の脚６１０’の両端のうちの一方の端間を連結し、残りの一または複数の連結部８００が脚６１０’の他方の端間を連結している。なお、図６では、連結部８００は、二つであって、そのうちの一方が脚６１０’のＸ方向の端間を連結し、他方が脚６１０’のＸ’方向の端間を連結している。
【００７４】
脚部６００’が上記２）の構成である場合、連結部８００は一つまたは複数とすることが可能である。前者の場合、連結部８００は、耐熱性を有する平面視略Ｏ字状のパイプや棒、筒または上側開放の箱であって、脚部６００’の脚６１０’間を連結している。後者の場合、連結部８００は、側面視略Ｏ字状、側面視略Ｕ字状、直線状またはその他の形状の耐熱性を有するパイプ、棒または板であって、一または複数の連結部８００が脚部６００’の脚６１０’間を各々連結している。なお、上記した何れかの態様の連結部８００は、火床１００’を収容するフレームを兼ねていても良い。
【００７５】
火床１００’は、上部開放の箱型であって、複数の側板１１０’および底板１２０’を有している。底板１２０’は多角形状の板であって、複数の辺を有している。側板１１０’は底板１２０’の辺からＺ方向に各々延び且つ多角環状に配置された板である。側板１１０’の隣り合う側辺同士が接続されている。側板１１０’のうち、対向する二つの側板１１０’が屋外用燃焼装置Ｂ１の第１組の側板１１０に相当し、別の対向する二つの側板１１０’が屋外用燃焼装置Ｂ１の第２組の側板１１０に相当する。側板１１０’のうち、隣り合う側板１１０’が屋外用燃焼装置Ｂ２の第１の隣り合う側板１１０に相当し、隣り合う側板１１０’が屋外用燃焼装置Ｂ２の第２の隣り合う側板１１０に相当する。
【００７６】
火床１００’は、複数の被支持部１３０’および複数の吊り下げ支持部１４０’の少なくとも一方をさらに備えた構成とすることが可能である。被支持部１３０’は、側板１１０’から各々外側に延びている。吊り下げ支持部１４０’は、側板１１０’に各々設けられたフック（図６参照）や鎖などである。なお、図６では、吊り下げ支持部１４０’は一つのみ図示されている。
【００７７】
火床１００’は、脚部６００’および連結部８００の内側に配置され且つ脚部６００’または連結部８００に支持されている。例えば、火床１００’は、下記１）〜６）の何れかのとおりに、脚部６００’または連結部８００に支持されている。ただし、下記１）、２）、４）および５）は、脚部６００’が上記１）の構成である場合に限定される。
１）火床１００’は、図６に示すように、被支持部１３０’が脚部６００’の支持部材６２０’の支持部本体上に載置され、支持されている。
２）火床１００’は、被支持部１３０’が脚部６００’の脚６１０’の水平部上に載置され、支持されている。
３）火床１００’は、被支持部１３０’が連結部８００上に載置され、支持されている。
４）火床１００’は、吊り下げ支持部１４０’が脚部６００’の支持部材６２０’に引っ掛けられ、支持されている。
５）火床１００’は、吊り下げ支持部１４０’が脚部６００’の脚６１０’の水平部に引っ掛けられ、支持されている。
６）火床１００’は、吊り下げ支持部１４０’が連結部８００に引っ掛けられ、支持されている。
なお、火床１００’は上記１）〜３）のうちの任意の一つと上記４）〜６）のうちの任意の一つとを組み合わせて、脚部６００’および連結部８００の双方に支持された構成とすることが可能である。火床１００’が支持部材６２０’以外に支持される場合には、支持部材６２０’は省略可能である。
【００７８】
燃料載置部５００は、図６に示すように火床１００’の底板１２０’上に載置された構成とすることが可能である。または、火床１００’の側板１１０’の下部に設けられた係合部に係合され支持される構成とすることが可能である。
【００７９】
第１支持部Ｓ１’’および第２支持部Ｓ２’’は、以下の１）〜６）の何れかの構成とすることが可能である。
１）第１支持部Ｓ１’’および第２支持部Ｓ２’’が、火床１００’に設けられている場合、第１支持部Ｓ１’’、第２支持部Ｓ２’’は、それぞれ上記第１支持部Ｓ１、上記第２支持部Ｓ２、または上記第１支持部Ｓ１’、上記第２支持部Ｓ２’と同様の構成とすることが可能である。
【００８０】
２）火床１００’が一対の被支持部１３０’を有している場合、第１支持部Ｓ１’’は、被支持部１３０’のうちの一つの被支持部１３０’の上縁、一つの被支持部１３０’の上縁に設けられており且つ上方に開口した凹部、または一つの被支持部１３０’の上縁から上方向にのびた一対の突部などであり、第２支持部Ｓ２’’は、別の一つの被支持部１３０’の上縁、別の一つの被支持部１３０’の上縁に設けられており且つ上方に開口した凹部、または別の一つの被支持部１３０’の上縁から上方向にのびた一対の突部などである。
【００８１】
３）第１支持部Ｓ１’’および第２支持部Ｓ２’’が、上記１）の構成の脚部６００’の一対の脚６１０’の水平部に設けられている場合、第１支持部Ｓ１’’は、脚６１０’のうちの一つの脚６１０’の水平部の上縁（図６参照）、一つの脚６１０’の水平部に設けられており且つ上方に開口した凹部またはスリット、一つの脚６１０’の水平部に設けられた貫通孔、または一つの脚６１０’の水平部から上方向にのびた一対の突部などであり、第２支持部Ｓ２’’は、別の一つの脚６１０’の水平部の上縁（図６参照）、別の一つの脚６１０’の水平部に設けられており且つ上方に開口した凹部またはスリット、別の一つの脚６１０’の水平部に設けられた貫通孔、または別の一つの脚６１０’の水平部から上方向にのびた一対の突部などである。
【００８２】
４）第１支持部Ｓ１’’および第２支持部Ｓ２’’が、上記１）の構成の脚部６００’の一対の脚６１０’に取り付けられた支持部材６２０’に設けられている場合、第１支持部Ｓ１’’は、一つの脚６１０’の支持部材６２０’の上縁、一つの脚６１０’の支持部材６２０’の上縁に設けられており且つ上方に開口した凹部またはスリット、一つの脚６１０’の支持部材６２０’に設けられた貫通孔、または一つの脚６１０’の支持部材６２０’の上縁から上方向にのびた一対の突部などであり、第２支持部Ｓ２’’は、別の一つの脚６１０’の支持部材６２０’の上縁、別の一つの脚６１０’の支持部材６２０’の上縁に設けられており且つ上方に開口した凹部またはスリット、別の一つの脚６１０’の支持部材６２０’に設けられた貫通孔、または別の一つの脚６１０’の支持部材６２０’の上縁から上方向にのびた一対の突部などである。
【００８３】
５）第１支持部Ｓ１’’および第２支持部Ｓ２’’が、連結部８００に設けられている場合、第１支持部Ｓ１’’は、連結部８００のうちの一つの連結部８００の上縁、一つの連結部８００の上縁に設けられており且つ上方に開口した凹部またはスリット、一つの連結部８００に設けられた貫通孔、または一つの連結部８００の上縁から上方向にのびた一対の突部などであり、第２支持部Ｓ２’’は、別の一つの連結部８００の上縁、別の一つの連結部８００の上縁に設けられており且つ上方に開口した凹部またはスリット、別の一つの連結部８００に設けられた貫通孔、または別の一つの連結部８００の上縁から上方向にのびた一対の突部などである。
【００８４】
２）〜５）の場合、第１支持部Ｓ１’’、第２支持部Ｓ２’’は、火床１００’よりも上側に位置していると良い。なお、上記のとおり、第１懸架部材２００が折り曲げられている場合や第１懸架部材２００が凹部２１０を有している場合、第１支持部Ｓ１’’、第２支持部Ｓ２’’である貫通孔は、第１懸架部材２００のＺ−Ｚ’方向の寸法よりも大きい長孔（例えば、角長孔や丸長孔（図２Ｂを借りて参照））とすると良い。
【００８５】
少なくとも一つの第１懸架部材２００は、上記した何れかの態様の第１支持部Ｓ１’’および第２支持部Ｓ２’’に略水平に着脱自在に支持され、火床１００’の側板１１０’間、脚６１０’の水平部間、支持部材６２０’間または連結部８００間に懸架されている。より具体的には、第１懸架部材２００は、下記１）〜４）の何れかのとおりに懸架されている。
１）第１支持部Ｓ１’’および第２支持部Ｓ２’’が上縁である場合、第１懸架部材２００の第１、第２部が上縁上に各々載置されている。この場合、第１懸架部材２００が上方に持ち上げられることによって、第１懸架部材２００の第１、第２部の上縁に対する載置が解除される。
２）第１支持部Ｓ１’’および第２支持部Ｓ２’’が凹部またはスリットである場合、第１懸架部材２００の第１、第２部が凹部またはスリット内に上方から各々挿入支持されている。この場合、第１懸架部材２００が上方に持ち上げられることによって、第１懸架部材２００の第１、第２部が凹部またはスリットから各々脱する。
３）第１支持部Ｓ１’’および第２支持部Ｓ２’’が貫通孔である場合、第１懸架部材２００が貫通孔内に略水平方向から各々挿入され、第１懸架部材２００の第１、第２部が貫通孔に各々支持されている。この場合、第１懸架部材２００が挿入時と逆方向に引っ張られることによって、第１懸架部材２００が貫通孔から各々脱する。
４）第１支持部Ｓ１’’および第２支持部Ｓ２’’が一対の突部である場合、第１懸架部材２００の第１、第２部が突部間に上方から各々挿入支持されている。この場合、第１懸架部材２００が上方に持ち上げられることによって、第１懸架部材２００の第１、第２部が突部間から各々脱する。
【００８６】
少なくとも一つの仕切り板３００は、第１懸架部材２００が上記何れかの態様の第１支持部Ｓ１’’および第２支持部Ｓ２’’に支持された状態で、火床１００’内に第１懸架部材２００から燃料載置部５００へ垂下されるように配置され且つ火床１００’内を水平方向（図６では、Ｘ−Ｘ’方向）において第１、第２空間に仕切っている以外、上記屋外用燃焼装置Ｂ１の何れかの態様の仕切り板３００と同様である。
【００８７】
第１支持部Ｓ１’’および第２支持部Ｓ２’’は、第１懸架部材２００の数に応じた数またはそれ以上とすると良い。複数の第１支持部Ｓ１’’は、上記一つの側板１１０’、被支持部１３０’、脚６１０’の水平部、支持部材６２０’または連結部８００にその長手方向に間隔をあけて設けられていると良いが、上記屋外用燃焼装置Ｂ２のように、異なる側板１１０’、被支持部１３０’、脚６１０’の水平部、支持部材６２０’または連結部８００に設けられていても良い。複数の第２支持部Ｓ２’’は、上記別の一つの側板１１０’、被支持部１３０’、脚６１０’の水平部、支持部材６２０’または連結部８００にその長手方向に間隔をあけて設けられていると良いが、上記屋外用燃焼装置Ｂ２のように、異なる側板１１０’、被支持部１３０’、脚６１０’の水平部、支持部材６２０’または連結部８００に設けられていても良い。
【００８８】
仕切り板３００は、第１懸架部材２００のうちの任意の一つに取り付けることが可能である。仕切り板３００も複数とすることが可能である。仕切り板３００が複数である場合、仕切り板３００によって区切られる火床１００’内の空間は、仕切り板３００の数＋１（上記第１、第２空間を含む。）となる。
【００８９】
第３支持部Ｓ３’’および第４支持部Ｓ４’’が、火床１００’に設けられている場合、第３支持部Ｓ３’’、第４支持部Ｓ４’’は、それぞれ上記第３支持部Ｓ３、第４支持部Ｓ４、または上記第３支持部Ｓ３’、第４支持部Ｓ４’と同様の構成とすることが可能である。第３支持部Ｓ３’’および第４支持部Ｓ４’’が、被支持部１３０’、脚６１０’の水平部、支持部材６２０’または連結部８００に設けられている場合、第３支持部Ｓ３’’、第４支持部Ｓ４’’は、第２懸架部材４００が第１懸架部材２００に交差するように第２懸架部材４００を略水平に着脱自在に支持する以外、第１支持部Ｓ１’’、第２支持部Ｓ２’’の２）〜５）の何れかと同様の構成とすることが可能である。なお、図６では、第３支持部Ｓ３’’および第４支持部Ｓ４’’は、連結部８００の上縁である。
【００９０】
第１懸架部材２００が凹部２１０を有し且つ仕切り板３００が凹部３３０を有する場合、第１支持部Ｓ１’’、第２支持部Ｓ２’’、第３支持部Ｓ３’’および第４支持部Ｓ４’’はほぼ同じ高さ位置に位置していても良いし、第１支持部Ｓ１’’および第２支持部Ｓ２’’と、第３支持部Ｓ３’’および第４支持部Ｓ４’’とが相違していても良い。相違する場合、第２懸架部材４００が第１懸架部材２００の凹部２１０および仕切り板３００の凹部３３０に挿入されるように、第１懸架部材２００および第２懸架部材４００の少なくとも一方を略Ω字状とすると良い。なお、凹部３３０は、屋外用燃焼装置Ｂ１と同様に省略可能である。
【００９１】
第２懸架部材４００が第１懸架部材２００または仕切り板３００に上側から当接する場合、第３支持部Ｓ３’’および第４支持部Ｓ４’’は、第１支持部Ｓ１’’および第２支持部Ｓ２’’よりも第１懸架部材２００のＺ−Ｚ’方向の寸法分、上側（Ｚ方向側）に位置していても良いが、これに限定されるものではない。第２懸架部材４００が第１懸架部材２００または仕切り板３００に上側から当接するように、第１懸架部材２００および第２懸架部材４００の少なくとも一方を略Ω字状としても良い。
【００９２】
第３支持部Ｓ３’’および第４支持部Ｓ４’’は、第２懸架部材４００の数に応じた数またはそれ以上とすると良い。複数の第３支持部Ｓ３’’は、上記一つの側板１１０’、被支持部１３０’、脚６１０’の水平部、支持部材６２０’または連結部８００にその長手方向に間隔をあけて設けられていると良いが、上記屋外用燃焼装置Ｂ２のように、異なる側板１１０’、被支持部１３０’、脚６１０’の水平部、支持部材６２０’または連結部８００に設けられていても良い。複数の第４支持部Ｓ４’’は、上記別の一つの側板１１０’、被支持部１３０’、脚６１０’の水平部、支持部材６２０’または連結部８００にその長手方向に間隔をあけて設けられていると良いが、上記屋外用燃焼装置Ｂ２のように、異なる側板１１０’、被支持部１３０’、脚６１０’の水平部、支持部材６２０’または連結部８００に設けられていても良い。なお、第２懸架部材４００、第３支持部Ｓ３’’および第４支持部Ｓ４’’は省略可能である。
【００９３】
なお、第１懸架部材２００が複数であり且つ第２懸架部材４００が省略される場合、屋外用燃焼装置Ｂ１と同様に、第１懸架部材２００は、調理容器または串を支持可能な五徳とすることが可能である。または、少なくとも一つの第１懸架部材２００および第２懸架部材４００が上記のとおり交差する場合、少なくとも一つの第１懸架部材２００および第２懸架部材４００は、屋外用燃焼装置Ｂ１と同様に、調理容器または串を支持する五徳とすることが可能である。なお、第１懸架部材２００のうちの隣り合う二つの第１懸架部材２００の中間部を連結する連結部材および／または第２懸架部材４００のうちの隣り合う二つの第２懸架部材４００の中間部を連結する連結部材は、火床１００上に位置する場合、これを五徳とすることが可能である。
【００９４】
屋外用燃焼装置Ｂ３は、図示しない焼き網および／または鉄板をさらに備えた構成とすることが可能である。焼き網および／または鉄板は、１）少なくとも第１懸架部材２００および仕切り板３００よりもＺ方向側に位置するように、火床１００’、脚部６００’および／または連結部８００に支持されていても良いし、２）火床１００’、脚部６００’および／または連結部８００に加えて、少なくとも一つの第１懸架部材２００に支持されていても良いし、３）火床１００’、脚部６００’および／または連結部８００に加えて、少なくとも一つの第１懸架部材２００および第２懸架部材４００に支持されていても良いし、４）複数の第１懸架部材２００に支持されていても良いし、５）少なくとも一つの第１懸架部材２００および第２懸架部材４００に支持されていても良い。上記のとおり、第１懸架部材２００および／または第２懸架部材４００が五徳である場合、焼き網および／または鉄板は、前述の支持から取り外しても良い。
【００９５】
以上のような屋外用燃焼装置Ｂ３は、第１支持部Ｓ１’’および第２支持部Ｓ２’’が火床１００’に設けられている場合、屋外用燃焼装置Ｂ１と同様に、火床１００’に少なくとも一つの第１懸架部材２００および仕切り板３００を取り付けることができ、第３支持部Ｓ３’’および第４支持部Ｓ４’’が火床１００’に設けられている場合、屋外用燃焼装置Ｂ１と同様に、火床１００’に少なくとも一つの第２懸架部材４００を取り付けることができる。
【００９６】
第１支持部Ｓ１’’および第２支持部Ｓ２’’が、支持部材６２０’、脚部６００’または連結部８００に設けられている場合、第１懸架部材２００を支持部材６２０’、脚部６００’または連結部８００の上縁に載置、支持部材６２０’、脚部６００’または連結部８００の凹部またはスリット内に上方から各々挿入、支持部材６２０’、脚部６００’または連結部８００の貫通孔に各々挿入、または支持部材６２０’、脚部６００’または連結部８００の一対の突部間に各々挿入すると良い。その後、屋外用燃焼装置Ｂ１と同様に、仕切り板３００を第１懸架部材２００に取り付けると、仕切り板３００が第１懸架部材２００から燃料載置部５００へ垂下するように火床１００’内に配置される。このとき、仕切り板３００は、燃料載置部５００に間隙を有して配置させても良いし、燃料載置部５００に当接させても良い。仕切り板３００が凸部３４０を有している場合、仕切り板３００を火床１００’内に配置させるときに、凸部３４０を燃料載置部５００の孔５１０に挿入させる。このように仕切り板３００が火床１００’内に配置されることによって、火床１００’内の空間が第１、第２空間に仕切られる。
【００９７】
第３支持部Ｓ３’’および第４支持部Ｓ４’’が、支持部材６２０’、連結部８００または脚部６００’に設けられている場合、第２懸架部材４００を支持部材６２０’、連結部８００または脚部６００’の上縁に載置、支持部材６２０’、連結部８００または脚部６００’の凹部またはスリット内に上方から各々挿入、支持部材６２０’、連結部８００または脚部６００’の貫通孔に各々挿入、または支持部材６２０’、連結部８００または脚部６００’の一対の突部間に各々挿入すると良い。第１懸架部材２００が凹部２１０を有し且つ仕切り板３００が凹部３３０を有する場合、第２懸架部材４００が凹部２１０および凹部３３０に挿入される。第１懸架部材２００が凹部２１０を有し且つ仕切り板３００が凹部３３０を有しない場合、第２懸架部材４００が凹部２１０に挿入される。第１懸架部材２００が凹部２１０を有さず且つ仕切り板３００が凹部３３０を有しない場合、第２懸架部材４００は第１懸架部材２００に上方から当接する。
【００９８】
屋外用燃焼装置Ｂ３は、屋外用燃焼装置Ｂ１の１）〜５）技術的特徴および効果と同様の技術的特徴および効果を奏する。
【実施例４】
【００９９】
以下、本発明の実施例４を含む複数の実施例に係る屋外用燃焼装置Ｂ４ついて図７を参照しつつ説明する。屋外用燃焼装置Ｂ４は、バーベキューグリルである。図７には、実施例４の屋外用燃焼装置Ｂ４が示されている。なお、図７に示すＺ−Ｚ’方向は屋外用燃焼装置Ｂ２の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。なお、図７では、燃料載置部５００が図示省略されているので、図６を借りて参照する。
【０１００】
屋外用燃焼装置Ｂ４は、下記相違点で屋外用燃焼装置Ｂ３と相違する以外、屋外用燃焼装置Ｂ３と同じ構成である。相違点１）屋外用燃焼装置Ｂ４は、連結部８００に代えて、フレーム９００を備えている。相違点２）屋外用燃焼装置Ｂ４の脚部６００’は、フレーム９００に取り付けられている。相違点３）火床１００’’が、フレーム９００内に配置されている。相違点４）フレーム９００および火床１００’’のうちの一つが、少なくとも一つの第１支持部Ｓ１’’’および第２支持部Ｓ２’’’を有し、フレーム９００および火床１００’’のうちの一つが、少なくとも一つの第３支持部Ｓ３’’’および第４支持部Ｓ４’’’を有している。なお、フレーム９００および火床１００’’のうちの一つが、少なくとも一つの第１支持部Ｓ１’’’および第２支持部Ｓ２’’’を有し、残りの一つが、少なくとも一つの第３支持部Ｓ３’’’および第４支持部Ｓ４’’’を有する構成とすることが可能である。以下、屋外用燃焼装置Ｂ４については、これらの相違点についてのみ詳しく説明し、屋外用燃焼装置Ｂ３の説明と重複する説明については省略する。
【０１０１】
フレーム９００は上部開放の多角形の箱型または多角形の筒である。前者の場合、フレーム９００は多角形状の底部および底部の各辺からＺ−Ｚ’方向に延びており且つ多角環状に配置された複数の側壁９１０を有している。後者の場合、フレーム９００はＺ−Ｚ’方向に延びており且つ多角環状に配置された複数の側壁９１０を有している。何れの場合も、側壁９１０のうちの隣り合う側壁９１０の側辺同士が接続されている。
【０１０２】
以下、説明の便宜上、側壁９１０のうち、対向する二つの側壁９１０を第１組の側壁９１０と称し、別の対向する二つの側壁９１０を第２組の側壁９１０と称する。また、側壁９１０のうち、隣り合う側壁９１０を第１の隣り合う側壁９１０と称し、隣り合う側壁９１０を第２の隣り合う側壁９１０を称する。
【０１０３】
脚部６００’は、例えば、下記１）または２）の構成とすることが可能である。
１）脚部６００’は、一対の脚６１０’を有している。この脚６１０’は互いに対向するように、フレーム９００の側壁９１０または底部の外面に取り付けられている。なお、脚６１０’は、例えば、下向き略Ｕ字状、Ｈ字状、下向きＴ字状、下向きＶ字状またはＸ字状などの耐熱性を有するパイプ、棒または板とすることができるが、これに限定されるものではない。
２）脚部６００’は、Ｚ−Ｚ’方向に延びた棒またはポールである３以上の脚６１０’を有している。この脚６１０’は、環状に配置されるように、フレーム９００の側壁９１０または底部の外面に取り付けられている。なお、図７では、脚部６００’は四つの脚６１０’を有し、その内の二つがフレーム９００のＸ方向側の側壁９１０の外面に取り付けられ、残り二つがＸ’方向側の側壁９１０の外面に取り付けられている。
【０１０４】
火床１００’’は、上部開放の多角形の箱型であって、複数の側板１１０’’および底板１２０’’を有している。底板１２０’’は多角形状の板であって、複数の辺を有している。側板１１０’’は底板１２０’’の辺からＺ方向に各々延び且つ多角環状に配置された板である。側板１１０’’の隣り合う側辺同士が接続されている。側板１１０’’のうち、対向する二つの側板１１０’’が屋外用燃焼装置Ｂ１の第１組の側板１１０に相当し、別の対向する二つの側板１１０’’が屋外用燃焼装置Ｂ１の第２組の側板１１０に相当する。側板１１０’’のうち、隣り合う側板１１０’’が屋外用燃焼装置Ｂ２の第１の隣り合う側板１１０に相当し、隣り合う側板１１０’’が屋外用燃焼装置Ｂ２の第２の隣り合う側板１１０に相当する。
【０１０５】
火床１００’’は、フレーム９００の底部上に載置され、フレーム９００内に収容されている。または、火床１００’’は、フレーム９００の側壁９１０の内面に設けられた係合部によって、フレーム９００内で支持されている。
【０１０６】
燃料載置部５００は、火床１００’’の底板１２０’’上に載置された構成とすることが可能である。または、火床１００’’の側板１１０’’の下部に設けられた係合部に係合され支持される構成とすることが可能である。
【０１０７】
第１支持部Ｓ１’’’および第２支持部Ｓ２’’’は、以下の１）または２）の構成とすることが可能である。
１）第１支持部Ｓ１’’’および第２支持部Ｓ２’’’が、火床１００’’に設けられている場合、第１支持部Ｓ１’’’、第２支持部Ｓ２’’’は、それぞれ上記第１支持部Ｓ１、上記第２支持部Ｓ２、または上記第１支持部Ｓ１’、上記第２支持部Ｓ２’同様の構成とすることが可能である。
【０１０８】
２）第１支持部Ｓ１’’’および第２支持部Ｓ２’’’が、フレーム９００に設けられている場合、第１支持部Ｓ１’’’は、第１組の側壁９１０または第１組の隣り合う側壁９１０の一つの側壁９１０の上縁、一つの側壁９１０の上縁に設けられており且つ上方に開口した凹部またはスリット、一つの側壁９１０に設けられた貫通孔、または一つの側壁９１０の上縁から上方向にのびた一対の突部などであり、第２支持部Ｓ２’’’は、別の一つの側壁９１０の上縁、別の一つの側壁９１０の上縁に設けられており且つ上方に開口した凹部またはスリット、別の一つの側壁９１０に設けられた貫通孔、または別の一つの側壁９１０の上縁から上方向にのびた一対の突部などである。２）の場合、第１支持部Ｓ１’’’および第２支持部Ｓ２’’’は、火床１００’’よりも上側に位置していると良い。なお、上記のとおり、第１懸架部材２００が折り曲げられている場合や第１懸架部材２００が凹部２１０を有している場合、第１支持部Ｓ１’’’および第２支持部Ｓ２’’’である貫通孔は、第１懸架部材２００のＺ−Ｚ’方向の寸法よりも大きい長孔（例えば、角長孔や丸長孔（図２Ｂを借りて参照））とすると良い。
【０１０９】
少なくとも一つの第１懸架部材２００は、上記した何れかの態様の第１支持部Ｓ１’’’および第２支持部Ｓ２’’’に略水平に着脱自在に支持され、火床１００’’の側板１１０’’間またはフレーム９００の側壁９１０間に懸架されている。より具体的には、第１懸架部材２００は、下記１）〜４）の何れかのとおりに側壁９１０間に懸架されている。
１）第１支持部Ｓ１’’’および第２支持部Ｓ２’’’が上縁である場合、第１懸架部材２００の第１、第２部が上縁上に各々載置されている。この場合、第１懸架部材２００が上方に持ち上げられることによって、第１懸架部材２００の第１、第２部の上縁に対する載置が解除される。
２）第１支持部Ｓ１’’’および第２支持部Ｓ２’’’が凹部またはスリットである場合、第１懸架部材２００の第１、第２部が凹部またはスリット内に上方から各々挿入支持されている。この場合、第１懸架部材２００が上方に持ち上げられることによって、第１懸架部材２００の第１、第２部が凹部またはスリットから各々脱する。
３）第１支持部Ｓ１’’’および第２支持部Ｓ２’’’が貫通孔である場合、第１懸架部材２００が貫通孔内に略水平方向から各々挿入され、第１懸架部材２００の第１、第２部が貫通孔に各々支持されている。この場合、第１懸架部材２００が挿入時と逆方向に引っ張られることによって、第１懸架部材２００が貫通孔から各々脱する。
４）第１支持部Ｓ１’’’および第２支持部Ｓ２’’’が一対の突部である場合、第１懸架部材２００の第１、第２部が突部間に上方から各々挿入支持されている。この場合、第１懸架部材２００が上方に持ち上げられることによって、第１懸架部材２００の第１、第２部が突部間から各々脱する。
【０１１０】
少なくとも一つの仕切り板３００は、第１懸架部材２００が上記何れかの態様の第１支持部Ｓ１’’’および第２支持部Ｓ２’’’に支持された状態で、火床１００’’内に第１懸架部材２００から燃料載置部５００へ垂下されるように配置され且つ火床１００’’内を水平方向において第１、第２空間に仕切っている以外、上記屋外用燃焼装置Ｂ１の何れかの態様の仕切り板３００と同様である。
【０１１１】
第１支持部Ｓ１’’’および第２支持部Ｓ２’’’は、第１懸架部材２００の数に応じた数またはそれ以上とすると良い。複数の第１支持部Ｓ１’’’は、上記一つの側板１１０’’または側壁９１０にその長手方向に間隔をあけて設けられていても良いが、上記屋外用燃焼装置Ｂ２のように、異なる側板１１０’’または側壁９１０に設けられていても良い。複数の第２支持部Ｓ２’’’は、別の一つの側板１１０’’または側壁９１０にその長手方向に間隔をあけて設けられていても良いが、上記屋外用燃焼装置Ｂ２のように、異なる側板１１０’’または側壁９１０に設けられていても良い。
【０１１２】
仕切り板３００は、第１懸架部材２００のうちの任意の一つに取り付けることが可能である。仕切り板３００も複数とすることが可能である。仕切り板３００が複数である場合、仕切り板３００によって区切られる火床１００’’内の空間は、仕切り板３００の数＋１（上記第１、第２空間を含む。）となる。
【０１１３】
第３支持部Ｓ３’’’および第４支持部Ｓ４’’’が、火床１００’に設けられている場合、第３支持部Ｓ３’’’、第４支持部Ｓ４’’’は、それぞれ上記第３支持部Ｓ３、第４支持部Ｓ４、または上記第３支持部Ｓ３’、第４支持部Ｓ４’と同様の構成とすることが可能である。第３支持部Ｓ３’’’および第４支持部Ｓ４’’’が、フレーム９００に設けられている場合、第３支持部Ｓ３’’’、第４支持部Ｓ４’’’は、第２懸架部材４００が第１懸架部材２００に交差するように第２懸架部材４００を略水平に着脱自在に支持する以外、フレーム９００に設けられた第１支持部Ｓ１’’’、第２支持部Ｓ２’’’と同様の構成とすることが可能である。なお、図７では、第３支持部Ｓ３’’’および第４支持部Ｓ４’’’は、フレーム９００の側壁９１０の上縁である。
【０１１４】
第１懸架部材２００が凹部２１０を有し且つ仕切り板３００が凹部３３０を有する場合、第１支持部Ｓ１’’’、第２支持部Ｓ２’’’、第３支持部Ｓ３’’’および第４支持部Ｓ４’’’はほぼ同じ高さ位置に位置していても良いし、第１支持部Ｓ１’’’および第２支持部Ｓ２’’’と、第３支持部Ｓ３’’’および第４支持部Ｓ４’’’とが相違していても良い。相違する場合、第２懸架部材４００が第１懸架部材２００の凹部２１０および仕切り板３００の凹部３３０に挿入されるように、第１懸架部材２００および第２懸架部材４００の少なくとも一方を略Ω字状とすると良い。なお、凹部３３０は、屋外用燃焼装置Ｂ１と同様に省略可能である。
【０１１５】
第２懸架部材４００が第１懸架部材２００または仕切り板３００に上側から当接する場合、第３支持部Ｓ３’’’および第４支持部Ｓ４’’’は、第１支持部Ｓ１’’’および第２支持部Ｓ２’’’よりも第１懸架部材２００のＺ−Ｚ’方向の寸法分、上側（Ｚ方向側）に位置していても良いが、これに限定されるものではない。第２懸架部材４００が第１懸架部材２００または仕切り板３００に上側から当接するように、第１懸架部材２００および第２懸架部材４００の少なくとも一方を略Ω字状としても良い。
【０１１６】
第３支持部Ｓ３’’’および第４支持部Ｓ４’’’は、第２懸架部材４００の数に応じた数またはそれ以上とすると良い。複数の第３支持部Ｓ３’’’は、上記一つの側板１１０’’または側壁９１０にその長手方向に間隔をあけて設けられていると良いが、上記屋外用燃焼装置Ｂ２のように、異なる側板１１０’’または側壁９１０に設けられていても良い。複数の第４支持部Ｓ４’’’は、上記別の一つの側板１１０’’または側壁９１０にその長手方向に間隔をあけて設けられていると良いが、上記屋外用燃焼装置Ｂ２のように、異なる側板１１０’’または側壁９１０に設けられていても良い。なお、第２懸架部材４００、第３支持部Ｓ３’’’および第４支持部Ｓ４’’’は省略可能である。
【０１１７】
なお、第１懸架部材２００が複数であり且つ第２懸架部材４００が省略される場合、屋外用燃焼装置Ｂ１と同様に、第１懸架部材２００は、調理容器または串を支持可能な五徳とすることが可能である。または、屋外用燃焼装置Ｂ１と同様に、少なくとも一つの第１懸架部材２００および第２懸架部材４００が上記のとおり交差する場合、少なくとも一つの第１懸架部材２００および第２懸架部材４００は、調理容器または串を支持可能な五徳とすることが可能である。第１懸架部材２００のうちの隣り合う二つの第１懸架部材２００の中間部を連結する連結部材および／または第２懸架部材４００のうちの隣り合う二つの第２懸架部材４００の中間部を連結する連結部材は、火床１００上に位置する場合、これを五徳とすることが可能である。
【０１１８】
屋外用燃焼装置Ｂ４は、図示しない焼き網および／または鉄板をさらに備えた構成とすることが可能である。焼き網および／または鉄板は、１）少なくとも第１懸架部材２００および仕切り板３００よりもＺ方向側に位置するように、火床１００’’および／またはフレーム９００に支持されていても良いし、２）火床１００’’ および／またはフレーム９００に加えて、少なくとも一つの第１懸架部材２００に支持されていても良いし、３）火床１００’’ および／またはフレーム９００に加えて、少なくとも一つの第１懸架部材２００および第２懸架部材４００に支持されていても良いし、４）複数の第１懸架部材２００に支持されていても良いし、５）少なくとも一つの第１懸架部材２００および第２懸架部材４００に支持されていても良い。上記のとおり、第１懸架部材２００および／または第２懸架部材４００が五徳である場合、焼き網および／または鉄板は、前述の支持から取り外しても良い。
【０１１９】
以上のような屋外用燃焼装置Ｂ４は、第１支持部Ｓ１’’’および第２支持部Ｓ２’’’が火床１００’’に設けられている場合、屋外用燃焼装置Ｂ１と同様に、火床１００’’に少なくとも一つの第１懸架部材２００および仕切り板３００を取り付けることができ、第３支持部Ｓ３’’’および第４支持部Ｓ４’’’が火床１００’’に設けられている場合、屋外用燃焼装置Ｂ１と同様に、火床１００’’に少なくとも一つの第２懸架部材４００を取り付けることができる。
【０１２０】
第１支持部Ｓ１’’’および第２支持部Ｓ２’’’がフレーム９００の側壁９１０に設けられている場合、第１懸架部材２００を側壁９１０の上縁に載置、側壁９１０の凹部またはスリット内に上方から各々挿入、側壁９１０の貫通孔に各々挿入、または側壁９１０の一対の突部間に各々挿入すると良い。その後、屋外用燃焼装置Ｂ１と同様に、仕切り板３００を第１懸架部材２００に取り付けると、仕切り板３００が第１懸架部材２００から燃料載置部５００へ垂下するように火床１００’’内に配置される。このとき、仕切り板３００は、燃料載置部５００に間隙を有して配置させても良いし、燃料載置部５００に当接させても良い。仕切り板３００が凸部３４０（図１Ａを借りて参照）を有している場合、仕切り板３００を火床１００’’内に配置させるときに、凸部３４０を燃料載置部５００の孔５１０に挿入させる。このように仕切り板３００が火床１００’’内に配置されることによって、火床１００’’内の空間が第１、第２空間に仕切られる。
【０１２１】
第３支持部Ｓ３’’’および第４支持部Ｓ４’’’が側壁９１０に設けられている場合、第２懸架部材４００を側壁９１０の上縁に載置、側壁９１０の凹部またはスリット内に上方から各々挿入、側壁９１０の貫通孔に各々挿入、または側壁９１０の一対の突部間に各々挿入すると良い。第１懸架部材２００が凹部２１０を有し且つ仕切り板３００が凹部３３０を有する場合、第２懸架部材４００が凹部２１０および凹部３３０に挿入される。第１懸架部材２００が凹部２１０を有し且つ仕切り板３００が凹部３３０を有しない場合、第２懸架部材４００が凹部２１０に挿入される。第１懸架部材２００が凹部２１０を有さず且つ仕切り板３００が凹部３３０を有しない場合、第２懸架部材４００は第１懸架部材２００に上方から当接する。
【０１２２】
屋外用燃焼装置Ｂ４は、屋外用燃焼装置Ｂ１の１）〜５）技術的特徴および効果と同様の技術的特徴および効果を奏する。
【０１２３】
なお、上記した屋外用燃焼装置は、上記実施例に限定されるものではなく、特許請求の範囲の記載範囲において任意に設計変更することが可能である。以下、詳しく述べる。
【０１２４】
本発明の火床は、固形燃料を収容可能である限り任意に設計変更することが可能である。例えば、上記火床１００は、上記ヒンジ部１２１を省略し、側板１１０の側辺同士が溶接等で接続されていても良い。この場合、側板１１０は多角形であれば良く、且つ側板１１０の数は３以上であれば良い。または、火床１００は円筒状とすることも可能である。この場合、側板１１０の数は一つである。火床１００’、１００’’は、円筒状の側板と、そのＺ’方向の開口を塞ぐ円板状の底板を備えた構成とすることが可能である。また、上記した何れかの態様の火床は、略半球殻状または碗状とすることも可能である。
【０１２５】
本発明の脚部は、上記した何れかの態様の火床を中空で直接的または間接的に保持する構成またはフレームを中空で直接的または間接的に保持する構成であるかぎり任意に設計変更することが可能である。例えば、連結部８００が省略され、脚部６００’が火床１００’を直接支持する構成とすることが可能である。本発明の連結部は、脚部の脚間を連結するものであれば良く、少なくとも一つあれば良い。本発明の連結部は、支持部材６２０’を有する構成とすることが可能である。本発明のフレームは、その内側に上記した何れかの態様の火床を配置し得るものであれば良い。本発明において、火床および連結部は、別部材である必要はなく、火床が連結部を兼ねていても良い。
【０１２６】
本発明の第１支持部、第２支持部は、屋外用燃焼装置の火床、フレーム、脚部、連結部および、これらのうちの一つに設けられた棒、板またはパイプなどの支持部材のうちの何れか一つに設けられており且つ上記した何れかの態様の第１懸架部材が第１支持部および第２支持部に懸架されるように、当該第１懸架部材を支持するものであれば良い。第１支持部、第２支持部が火床以外に設けられている場合、第１支持部、第２支持部は、火床よりも上側に位置していると良い。なお、本発明の第２支持部は、屋外用燃焼装置の火床、フレーム、脚部、連結部のうちの第１支持部が設けられていない別の一つに設けられていても良い。
【０１２７】
本発明の第３支持部、第４支持部は、屋外用燃焼装置の火床、フレーム、脚部、連結部およびこれらのうちの一つに設けられた棒、板またはパイプなどの支持部材のうちの何れか一つに設けられており且つ上記した何れかの態様の第２懸架部材が、第３支持部および第４支持部に懸架されるように、当該第２懸架部材を支持するものであれば良い。第３支持部、第４支持部が火床以外に設けられている場合、第３支持部、第４支持部は、火床よりも上側に位置していると良い。なお、本発明の第４支持部は、屋外用燃焼装置の火床、フレーム、脚部、連結部のうちの第３支持部が設けられていない別の一つに設けられていても良い。
【０１２８】
本発明の第１懸架部材および仕切り板は、別体である必要はなく、一体化されていても良い。また、上記した何れの態様の第１、第２支持部に支持される一対の第１懸架部材の間に仕切り板が設けられており且つ当該第１懸架部材から仕切り板が垂下された構成とすることが可能である。この場合、仕切り板にのみ第２懸架部材が挿入される凹部が設けられていても良い。本発明の仕切り板は、燃料載置部ではなく、火床の底側に向けて延びていても良い。本発明の燃料載置部は省略可能であり、その場合、火床の底に固形燃料が載置可能とすると良い。
【０１２９】
本発明において、仕切り板は省略可能であり、第１懸架部材および第２懸架部材を五徳とすることも可能である。また、本発明において、焼き網および／または鉄板は、省略可能である。
【０１３０】
なお、上記実施例の各態様および設計変形例における屋外用燃焼装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明のＺ−Ｚ’方向は、本発明の高さ方向である限り任意に設定可能である。本発明のＸ−Ｘ’方向は、Ｚ−Ｚ’方向に交差する限り任意に設定可能である。本発明のＹ−Ｙ’方向は、Ｚ−Ｚ’方向およびＸ−Ｘ’方向に交差しており且つＺ−Ｚ’方向およびＸ−Ｘ’方向が位置する平面上に位置しない限り任意に設定することができる。
【符号の説明】
【０１３１】
Ｂ１、Ｂ２、Ｂ３、Ｂ４：屋外用燃焼装置
１００、１００’、１００’’：火床
１１０（１１０ａ、１１０ｂ）、１１０’、１１０’’：側板
２００：第１懸架部材
２１０：凹部
３００：仕切り板
３１０：仕切り板本体
３２０：フック
３３０：凹部
３４０：凸部
４００：第２懸架部材
５００：燃料載置部
５１０：孔
６００、６００’：脚部
７００：灰受け
８００：連結部
９００：フレーム
Ｓ１、Ｓ１’、Ｓ１’’、Ｓ１’’’：第１支持部
Ｓ２、Ｓ２’、Ｓ２’’、Ｓ２’’’：第２支持部
Ｓ３、Ｓ３’、Ｓ３’’、Ｓ３’’’：第３支持部
Ｓ４、Ｓ４’、Ｓ４’’、Ｓ４’’’：第４支持部
【図１Ａ】
2019030453.tif 000003
【図１Ｂ】
2019030453.tif 000004
【図１Ｃ】
2019030453.tif 000005
【図１Ｄ】
2019030453.tif 000006
【図１Ｅ】
2019030453.tif 000007
【図１Ｆ】
2019030453.tif 000008
【図２Ａ】
2019030453.tif 000009
【図２Ｂ】
2019030453.tif 000010
【図２Ｃ】
2019030453.tif 000011
【図３Ａ】
2019030453.tif 000012
【図３Ｂ】
2019030453.tif 000013
【図４Ａ】
2019030453.tif 000014
【図４Ｂ】
2019030453.tif 000015
【図５Ａ】
2019030453.tif 000016
【図５Ｂ】
2019030453.tif 000017
【図６】
2019030453.tif 000018
【図７】
2019030453.tif 000019